(57)【要約】  本発明のディスプレイモジュールは、透明ディスプレイパネルと、透明ディスプレイパネルの側面を固定するフレームと、を備え、該フレームには、外部からデータを受信する通信部と、受信されたデータを信号処理し、信号処理に対応する駆動命令を出力する制御部と、制御部の駆動命令に対応して透明ディスプレイパネルを駆動させる表示駆動部が配置される。  また、本発明のディスプレイシステムは、ボディーと、該ボディーに分離可能に装着されるディスプレイモジュールと、を備える。  本発明は、ショーケースに設けられた透明ディスプレイパネルを介して広告を表示することによって、ショーケース内部を透視できると同時に広告を表示することができる。  これによって、広告チラシ紙の製作及び管理にかかるコストを低減し、広告映像を様々に表示することによって広告効果を極大化し、該当の企業のイメージを向上させることができる。
2014503835.tif 000002
【特許請求の範囲】
【請求項１】
透明ディスプレイパネルと、
前記透明ディスプレイパネルの側面を固定するフレームと、
を備え、
前記フレームには、
外部からデータを受信する通信部と、受信されたデータを信号処理し、前記信号処理に対応する駆動命令を出力する制御部と、前記制御部の駆動命令に対応して前記透明ディスプレイパネルを駆動させる表示駆動部が配置されている、ディスプレイモジュール。
【請求項２】
前記透明ディスプレイパネルの表面積は前記フレームの表面積よりも広く、前記透明ディスプレイパネルの厚さは前記フレームの厚さよりも薄くなっている、請求項１に記載のディスプレイモジュール。
【請求項３】
前記透明ディスプレイパネルは、前記フレームの一部分に嵌め付けられる、請求項１に記載のディスプレイモジュール。
【請求項４】
前記フレームに配置され、少なくとも一つのデータを保存する保存部をさらに備え、
前記制御部は、前記保存部に保存されたデータが表示されるように制御する、請求項１に記載のディスプレイモジュール。
【請求項５】
前記制御部は、
前記通信部に受信されたデータを信号処理する第１の信号処理部と、前記保存部のデータを信号処理する第２の信号処理部と、を備える、請求項４に記載のディスプレイモジュール。
【請求項６】
前記フレームに配置され、前記通信部に受信されたデータ及び前記保存部に保存されたデータのいずれか一方を選択するための入力部をさらに備え、
前記制御部は、前記選択されたデータが表示されるように制御する、請求項４に記載のディスプレイモジュール。
【請求項７】
前記保存部に複数のデータが保存された場合に、前記保存部に保存された複数のデータのうちいずれか一つのデータが前記入力部を介して選択される、請求項６に記載のディスプレイモジュール。
【請求項８】
前記入力部を介して複数のモードのうちいずれか一つのモードが選択され、
前記制御部は、前記選択されたいずれか一つのモードに対応する映像の表示を制御する、請求項６に記載のディスプレイモジュール。
【請求項９】
前記保存部は、時間別データを保存し、
前記制御部は、現在時間を確認し、確認された時間に対応するデータが存在するか否か判断し、判断されたデータが存在すると、判断されたデータが表示されるように制御する、請求項４に記載のディスプレイモジュール。
【請求項１０】
前記通信部は無線通信を行い、
前記制御部は、前記無線通信を用いて受信されたデータを信号処理する、請求項１に記載のディスプレイモジュール。
【請求項１１】
前記フレームには、
孔と、
前記孔を通って外部の商用電源に接続して商用電源を供給され、供給された商用電源を駆動電力に変換する電源部が配置されている、請求項１に記載のディスプレイモジュール。
【請求項１２】
前記電源部は、充電型の電源部である、請求項１１に記載のディスプレイモジュール。
【請求項１３】
前記フレームが前記透明ディスプレイパネルの一部分に配置された場合に、前記透明ディスプレイパネルの残りの部分には光を遮断する遮断部材が配置されている、請求項１に記載のディスプレイモジュール。
【請求項１４】
前記透明ディスプレイパネルに隣接して配置され、前記透明ディスプレイパネルの光反射を防止する無反射コーティングフィルムをさらに備える、請求項１に記載のディスプレイモジュール。
【請求項１５】
前記透明ディスプレイパネルに隣接して配置され、外部に放出される前記透明ディスプレイパネルの熱を遮断する断熱シートをさらに備える、請求項１に記載のディスプレイモジュール。
【請求項１６】
前記通信部は、外部から放送信号を受信する、請求項１に記載のディスプレイモジュール。
【請求項１７】
前記透明ディスプレイパネルは、
サーバーの命令に対応して、周辺に配置された他の透明ディスプレイパネルとマルチディスプレイを行う、請求項１に記載のディスプレイモジュール。
【請求項１８】
前記フレームにはタグを認識する認識部が設けられており、
前記制御部は、前記認識されたタグを読み取り、読み取られたデータに対応する映像が出力されるように制御する、請求項１に記載のディスプレイモジュール。
【請求項１９】
第１の電源部を有するボディーと、
前記ボディーに分離可能に装着されたディスプレイモジュールと、
を備え、
前記ディスプレイモジュールは、
透明ディスプレイパネルと、前記透明ディスプレイパネルを固定するフレームと、前記フレームに配置され、前記第１の電源部の電力を駆動電力に変換し、前記透明ディスプレイパネルの駆動を制御する駆動モジュールと、を有する、ディスプレイシステム。
【請求項２０】
前記駆動モジュールは、
少なくとも一つの印刷回路基板からなる、請求項１９に記載のディスプレイシステム。
【請求項２１】
前記駆動モジュールは、
サーバーから伝送されたデータを受信する通信部と、該受信されたデータを信号処理し、信号処理されたデータに対応する駆動命令を出力する制御部と、前記透明ディスプレイパネルに前記データが表示されるように前記制御部の命令に対応して駆動する表示駆動部と、前記第１の電源部の電力を前記通信部の駆動電力、前記制御部の駆動電力、及び前記表示駆動部の駆動電力にそれぞれ変換する第２の電源部と、を備える、請求項２０に記載のディスプレイシステム。
【請求項２２】
前記通信部、制御部、表示駆動部、第２の電源部のうち少なくとも２つは、前記少なくとも一つの印刷回路基板に配置される、請求項２１に記載のディスプレイシステム。
【請求項２３】
前記第１の電源部は商用電源に接続し、
前記第２の電源部はケーブルにより前記第１の電源部に接続して電力を供給される、請求項２１に記載のディスプレイシステム。
【請求項２４】
前記ボディーに第１の孔が設けられ、
前記ディスプレイモジュールのフレームに第２の孔が設けられており、
前記ケーブルが前記第１の孔及び前記第２の孔を通って前記ボディーから前記フレームへ延びる、請求項２３に記載のディスプレイシステム。
【請求項２５】
前記駆動モジュールに配置され、少なくとも一つのデータを保存する保存部と、
前記フレームに配置され、前記制御部に電気的に接続し、前記通信部に受信されたデータ及び前記保存部に保存されたデータのいずれか一方を選択するための入力部と、をさらに備え、
前記制御部は、前記入力部を介して選択されたデータを確認し、該確認されたデータが表示されるように制御する、請求項２１に記載のディスプレイシステム。
【請求項２６】
前記保存部にデータが複数個保存されている場合に、前記保存部に保存されている複数のデータのいずれか一つのデータが前記入力部を介して選択される、請求項２５に記載のディスプレイシステム。
【請求項２７】
前記入力部を介して複数のモードのうちいずれか一つのモードが選択され、
前記制御部は、前記選択されたいずれか一つのモードに対応する映像が表示されるように制御する、請求項２５に記載のディスプレイシステム。
【請求項２８】
前記フレームが前記透明ディスプレイパネルの一部分に配置された場合に、前記透明ディスプレイパネルの残りの部分には光を遮断する遮断部材が配置されている、請求項２１に記載のディスプレイシステム。
【請求項２９】
前記ボディーは、本体と、前記本体の一面に形成された開口と、前記本体の内部に形成された貯蔵室と、を備えているショーケースであり、
前記ディスプレイモジュールは、前記ショーケースの開口に装着されている、請求項２１に記載のディスプレイシステム。
【請求項３０】
前記透明ディスプレイパネルに隣接して配置され、前記透明ディスプレイパネルの外光反射を低減させる無反射コーティングフィルムをさらに備える、請求項２９に記載のディスプレイシステム。
【請求項３１】
前記透明ディスプレイパネルの両面のうち、前記貯蔵室に向かい合う面に配置され、前記貯蔵室に放出される前記透明ディスプレイパネルの熱を減らす透明断熱シートをさらに備える、請求項２９に記載のディスプレイシステム。
【請求項３２】
前記ショーケースは、開口に取り付けられたドアをさらに備え、
前記ディスプレイモジュールは、前記ショーケースのドアに装着されている、請求項２９に記載のディスプレイシステム。
【請求項３３】
前記フレームに配置され、前記制御部に電気的に接続し、前記ショーケースのドア開閉を検出する検出部をさらに備え、
前記制御部は、前記ドア開閉信号に基づいて前記ドアの開閉を判断し、前記ドアの開放と判断されると、前記透明ディスプレイパネルに表示される映像が反転するように制御する、請求項３２に記載のディスプレイシステム。
【請求項３４】
前記制御部は、
前記ドアの開放と判断されると、前記ドアの開放時間をカウントし、カウントされた時間が基準時間を超えると、ドア閉鎖を指示するように制御する、請求項３３に記載のディスプレイシステム。
【請求項３５】
前記制御部は、
前記ドアの開閉信号に基づいて前記ドアの開放角度を判断し、前記ドアの開放角度と基準角度とを比較し、前記ドアの開放角度が基準角度を超えると、前記透明ディスプレイパネルに表示される映像が反転するように制御する、請求項３３に記載のディスプレイシステム。
【請求項３６】
前記本体に設けられ、前記貯蔵室の温度を検出する検出部をさらに備え、
前記制御部は、前記通信部を介して受信された前記貯蔵室の温度の変化に基づいて前記ドアの開閉を判断し、前記ドアの開放と判断されると、前記透明ディスプレイパネルに表示される映像が反転するように制御する、請求項３２に記載のディスプレイシステム。
【請求項３７】
前記フレームに配置され、前記制御部に電気的に接続し、人体を検出する検出部をさらに備え、
前記制御部は、前記人体検出信号に基づいて前記透明ディスプレイの透明度を調節する、請求項２９に記載のディスプレイシステム。
【請求項３８】
前記フレームに配置され、前記制御部に電気的に接続し、タグを認識する認識部をさらに備え、
前記制御部は、前記認識されたタグのデータに基づいて、前記タグを所持している消費者のカスタマイズ情報が表示されるように制御する、請求項２９に記載のディスプレイシステム。
【請求項３９】
前記通信部は、消費者の端末機と通信を行い、
前記制御部は、前記消費者の情報を確認し、前記確認された消費者のカスタマイズ情報が表示されるように制御する、請求項２９に記載のディスプレイシステム。
【請求項４０】
前記制御部は、
前記消費者のカスタマイズ情報をサーバーに要請し、前記サーバーから前記消費者のカスタマイズ情報を受信する、請求項３９に記載のディスプレイシステム。
【請求項４１】
前記ショーケースの貯蔵室に保管すべき品物に印刷されたコードを認識する認識部をさらに備え、
前記制御部は、前記認識されたコードを読み取り、読み取られたデータを保存する、請求項２９に記載のディスプレイシステム。
【請求項４２】
第１の電源部を有するボディーと、
前記ボディーに分離可能に装着される複数のディスプレイモジュールと、
を備え、
前記複数のディスプレイモジュールは、
透明ディスプレイパネルと、前記透明ディスプレイパネルを固定するフレームと、前記フレームに配置され、前記第１の電源部の電力を駆動電力に変換し、前記透明ディスプレイパネルの駆動を制御する駆動モジュールと、をそれぞれ有する、ディスプレイシステム。
【請求項４３】
前記複数のディスプレイモジュールと通信を行い、前記複数のディスプレイモジュールの駆動を制御するサーバーをさらに備え、
前記サーバーは、使用者から入力されたデータ及び外部から受信されたデータのうち少なくとも一つのデータを信号処理し、信号処理されたデータを前記複数のディスプレイモジュールに分配して伝送する、請求項４２に記載のディスプレイシステム。
【請求項４４】
前記サーバーは、
前記複数のディスプレイモジュールに同一の映像が表示されるように同一のデータを伝送する、請求項４３に記載のディスプレイシステム。
【請求項４５】
前記サーバーは、
前記複数のディスプレイモジュールに互いに異なった映像が表示されるように制御する、請求項４３に記載のディスプレイシステム。
【請求項４６】
前記サーバーは、前記複数のディスプレイモジュールのうち、一部のディスプレイモジュールには同一のデータを伝送し、残り一部のディスプレイモジュールには互いに異なったデータを伝送する、請求項４３に記載のディスプレイシステム。
【請求項４７】
前記複数のディスプレイモジュールは、
前記ボディーにスライディング可能に装着される、請求項４２に記載のディスプレイシステム。
【請求項４８】
前記複数のディスプレイモジュールは、前記第１の電源部の電力を駆動電力に変換する第２の電源部をそれぞれさらに備える、請求項４７に記載のディスプレイシステム。
【発明の詳細な説明】
【技術分野】
【０００１】
本発明は、透明ディスプレイパネルを用いて視覚的、空間的な活用度を極大化するディスプレイモジュール及びディスプレイシステムに関する。
【背景技術】
【０００２】
人間に情報を伝達する窮極的な媒介となるディスプレイ装置は、極めて大きい体積を占める初期の陰極線管（ＣＲＴ：Ｃａｔｈｏｄ  Ｒａｙ  Ｔｕｂｅ）方式の単色表示装置から、最近の超薄型、大面積のフルカラーディスプレイ装置に至るまで、急速な成長を遂げてきた。
【０００３】
このようなディスプレイ装置は、単純な文字や映像のみを表示する装置から、より精密で審美性に富む表示を追及する装置へと開発が加速化しつつある。
【０００４】
しかしながら、ディスプレイ装置は、その実体が明確に見える形態となっているため、家庭や公共場所に設置する際、空間を占め、空間活用に制約を招く他、視覚的な妨害要素となり、空間の見栄えを悪くすることもあり、その活用が制限される不具合があった。
【発明の概要】
【発明が解決しようとする課題】
【０００５】
一態様は、透明ディスプレイパネルと、透明ディスプレイパネルの少なくとも一側面を固定し、透明ディスプレイパネルの駆動を制御する駆動モジュールが設けられたフレームと、を有するディスプレイモジュールを提供する。
【０００６】
他の態様は、透明ディスプレイパネル、及び透明ディスプレイパネルの少なくとも一側面を固定し、透明ディスプレイパネルを駆動させる駆動モジュールが設けられたフレームを有するディスプレイモジュールと、ディスプレイモジュールが分離可能に装着され、ディスプレイモジュールに駆動電力を供給する第１の電源部を有するボディーと、を有するディスプレイシステムを提供する。
【０００７】
さらに他の態様は、有無線通信を用いて外部からデータを受信して表示し、保存部に保存されたデータを表示するディスプレイモジュール及びディスプレイシステムを提供する。
【０００８】
さらに他の態様は、他の透明ディスプレイパネルとマルチディスプレイを行うディスプレイモジュール及びディスプレイシステムを提供する。
【０００９】
さらに他の態様は、映像を反転させて表示するディスプレイモジュール及びディスプレイシステムを提供する。
【００１０】
さらに他の態様は、透明ディスプレイパネルの側面に、断熱シート及び無反射コーティングフィルムの少なくとも一方が配置されたディスプレイモジュール及びディスプレイシステムを提供する。
【課題を解決するための手段】
【００１１】
一態様に係るディスプレイモジュールは、透明ディスプレイパネルと、透明ディスプレイパネルの側面を固定するフレームと、を備え、フレームには、外部からデータを受信する通信部と、受信されたデータを信号処理し、信号処理に対応する駆動命令を出力する制御部と、制御部の駆動命令に対応して透明ディスプレイパネルを駆動させる表示駆動部が配置されている。
【００１２】
透明ディスプレイパネルの表面積はフレームの表面積よりも広く、透明ディスプレイパネルの厚さはフレームの厚さよりも薄くなっている。透明ディスプレイパネルは、フレームの一部分に嵌め付けられる。
【００１３】
ディスプレイモジュールは、フレームに配置され、少なくとも一つのデータを保存する保存部をさらに備え、制御部は、保存部に保存されたデータが表示されるように制御する。制御部は、通信部に受信されたデータを信号処理する第１の信号処理部と、保存部のデータを信号処理する第２の信号処理部と、を備える。
【００１４】
ディスプレイモジュールは、フレームに配置され、通信部に受信されたデータ及び保存部に保存されたデータのいずれか一方を選択するための入力部をさらに備え、制御部は、選択されたデータが表示されるように制御する。保存部に複数のデータが保存された場合に、保存部に保存された複数のデータのうちいずれか一つのデータが入力部を介して選択される。
【００１５】
入力部を介して複数のモードのうちいずれか一つのモードが選択され、制御部は、選択されたいずれか一つのモードに対応する映像の表示を制御する。保存部は、時間別データを保存し、制御部は、現在時間を確認し、確認された時間に対応するデータが存在するか否か判断し、判断されたデータが存在すると、判断されたデータが表示されるように制御する。通信部は無線通信を行い、制御部は、無線通信を用いて受信されたデータを信号処理する。
【００１６】
フレームには、孔と、孔を通って外部の商用電源に接続して商用電源を供給され、供給された商用電源を駆動電力に変換する電源部が配置される。電源部は、充電型の電源部である。フレームが透明ディスプレイパネルの一部分に配置された場合に、透明ディスプレイパネルの残りの部分には光を遮断する遮断部材が配置される。
【００１７】
ディスプレイモジュールは、透明ディスプレイパネルに隣接して配置され、透明ディスプレイパネルの光反射を防止する無反射コーティングフィルムをさらに備える。ディスプレイモジュールは、透明ディスプレイパネルに隣接して配置され、外部に放出される透明ディスプレイパネルの熱を遮断する断熱シートをさらに備える。
【００１８】
通信部は、外部から放送信号を受信する。透明ディスプレイパネルは、サーバーの命令に対応して、周辺に配置された他の透明ディスプレイパネルとマルチディスプレイを行う。
【００１９】
フレームにはタグを認識する認識部が設けられており、制御部は、認識されたタグを読み取り、読み取られたデータに対応する映像が出力されるように制御する。
【００２０】
他の態様に係るディスプレイシステムは、第１の電源部を有するボディーと、ボディーに分離可能に装着されたディスプレイモジュールと、を備え、ディスプレイモジュールは、透明ディスプレイパネルと、透明ディスプレイパネルを固定するフレームと、フレームに配置され、第１の電源部の電力を駆動電力に変換し、透明ディスプレイパネルの駆動を制御する駆動モジュールと、を有する。
【００２１】
駆動モジュールは、少なくとも一つの印刷回路基板からなる。駆動モジュールは、サーバーから伝送されたデータを受信する通信部と、該受信されたデータを信号処理し、信号処理されたデータに対応する駆動命令を出力する制御部と、透明ディスプレイパネルにデータが表示されるように制御部の命令に対応して駆動する表示駆動部と、第１の電源部の電力を通信部の駆動電力、制御部の駆動電力、及び表示駆動部の駆動電力にそれぞれ変換する第２の電源部と、を備える。
【００２２】
通信部、制御部、表示駆動部、第２の電源部のうち少なくとも２つは、少なくとも一つの印刷回路基板に配置される。
【００２３】
第１の電源部は商用電源に接続し、第２の電源部はケーブルにより第１の電源部に接続して電力を供給される。
【００２４】
ボディーに第１の孔が設けられ、ディスプレイモジュールのフレームに第２の孔が設けられており、ケーブルが第１の孔及び第２の孔を通ってボディーからフレームへ延びる。
【００２５】
ディスプレイシステムは、駆動モジュールに配置され、少なくとも一つのデータを保存する保存部と、フレームに配置され、制御部に電気的に接続し、通信部に受信されたデータ及び保存部に保存されたデータのいずれか一方を選択するための入力部と、をさらに備え、制御部は、入力部を介して選択されたデータを確認し、該確認されたデータが表示されるように制御する。
【００２６】
保存部にデータが複数個保存されている場合に、保存部に保存されている複数のデータのいずれか一つのデータが入力部を介して選択される。入力部を介して複数のモードのうちいずれか一つのモードが選択され、制御部は、選択されたいずれか一つのモードに対応する映像が表示されるように制御する。
【００２７】
フレームが透明ディスプレイパネルの一部分に配置された場合に、透明ディスプレイパネルの残りの部分には光を遮断する遮断部材が配置される。
【００２８】
ボディーは、本体と、本体の一面に形成された開口と、本体の内部に形成された貯蔵室と、を備えているショーケースであり、ディスプレイモジュールは、ショーケースの開口に装着される。
【００２９】
ディスプレイシステムは、透明ディスプレイパネルに隣接して配置され、透明ディスプレイパネルの外光反射を低減させる無反射コーティングフィルムをさらに備える。ディスプレイシステムは、透明ディスプレイパネルの両面のうち、貯蔵室に向かい合う面に配置され、貯蔵室に放出される透明ディスプレイパネルの熱を減らす透明断熱シートをさらに備える。
【００３０】
ショーケースは、開口に取り付けられたドアをさらに備え、ディスプレイモジュールは、ショーケースのドアに装着される。
【００３１】
ディスプレイシステムは、フレームに配置され、制御部に電気的に接続し、ショーケースのドア開閉を検出する検出部をさらに備え、制御部は、ドア開閉信号に基づいてドアの開閉を判断し、ドアの開放と判断されると、透明ディスプレイパネルに表示される映像が反転するように制御する。
【００３２】
制御部は、ドアの開放と判断されると、ドアの開放時間をカウントし、カウントされた時間が基準時間を超えると、ドア閉鎖を指示するように制御する。制御部は、ドアの開閉信号に基づいてドアの開放角度を判断し、ドアの開放角度と基準角度とを比較し、ドアの開放角度が基準角度を超えると、透明ディスプレイパネルに表示される映像が反転するように制御する。
【００３３】
ディスプレイシステムは、本体に設けられ、貯蔵室の温度を検出する検出部をさらに備え、制御部は、通信部を介して受信された貯蔵室の温度の変化に基づいてドアの開閉を判断し、ドアの開放と判断されると、透明ディスプレイパネルに表示される映像が反転するように制御する。ディスプレイシステムは、フレームに配置され、制御部に電気的に接続し、人体を検出する検出部をさらに備え、制御部は、人体検出信号に基づいて透明ディスプレイの透明度を調節する。
【００３４】
ディスプレイシステムは、フレームに配置され、制御部に電気的に接続し、タグを認識する認識部をさらに備え、制御部は、認識されたタグのデータに基づいて、タグを所持している消費者のカスタマイズ情報が表示されるように制御する。
【００３５】
通信部は、消費者の端末機と通信を行い、制御部は、消費者の情報を確認し、確認された消費者のカスタマイズ情報が表示されるように制御する。制御部は、消費者のカスタマイズ情報をサーバーに要請し、サーバーから消費者のカスタマイズ情報を受信する。
【００３６】
ディスプレイシステムは、ショーケースの貯蔵室に保管すべき品物に印刷されたコードを認識する認識部をさらに備え、制御部は、認識されたコードを読み取り、読み取られたデータを保存する。
【００３７】
さらに態様に係るディスプレイシステムは、第１の電源部を有するボディーと、ボディーに分離可能に装着される複数のディスプレイモジュールと、を備え、複数のディスプレイモジュールは、透明ディスプレイパネルと、透明ディスプレイパネルを固定するフレームと、フレームに配置され、第１の電源部の電力を駆動電力に変換し、透明ディスプレイパネルの駆動を制御する駆動モジュールと、をそれぞれ有する。
【００３８】
ディスプレイシステムは、複数のディスプレイモジュールと通信を行い、複数のディスプレイモジュールの駆動を制御するサーバーをさらに備え、サーバーは、使用者から入力されたデータ及び外部から受信されたデータのうち少なくとも一つのデータを信号処理し、信号処理されたデータを複数のディスプレイモジュールに分配して伝送する。
【００３９】
サーバーは、複数のディスプレイモジュールに同一の映像が表示されるように同一のデータを伝送する。サーバーは、複数のディスプレイモジュールに互いに異なった映像が表示されるように制御する。サーバーは、複数のディスプレイモジュールのうち、一部のディスプレイモジュールには同一のデータを伝送し、残り一部のディスプレイモジュールには互いに異なったデータを伝送する。
【００４０】
複数のディスプレイモジュールは、ボディーにスライディング可能に装着される。複数のディスプレイモジュールは、第１の電源部の電力を駆動電力に変換する第２の電源部をそれぞれさらに備える
【発明の効果】
【００４１】
本発明の一態様によれば、透明なディスプレイモジュールを用いて映像を表示することによって、空間の効率性及び見栄えを向上させることができる。
【００４２】
また、有無線通信を用いて外部から受信した映像情報や保存部に保存されたデータを、透明ディスプレイモジュールに選択的に表示することによって、表示映像を容易に管理することができる。
【００４３】
ディスプレイシステムであるショーケースに透明なディスプレイモジュールを設置した後に映像を表示することによって、ショーケースの内部の品物及び映像を同時に見ることができる。また、透明ディスプレイモジュールに広告映像を表示することによって、広告チラシ紙の製作及び管理にかかるコストを低減でき、広告映像を様々に表示することによって広告効果を極大化し、該当の企業のイメージを向上させることができる。
【００４４】
また、ディスプレイシステムがショーケースである場合に、透明ディスプレイモジュールに品物の情報を表示することによって、品物の情報確認のためにショーケース内の品物を引き出す不便さを軽減し、ドアの開閉回数を減らすことができる。による電力消費を減らすことができる。
【００４５】
また、ディスプレイシステムがショーケースである場合に、ドア開放角度に基づいてドアなるディスプレイモジュールに表示される映像を反転させることによって、いずれの位置でもドアに表示される映像を正確に見ることができ、映像に対する認識度を高めることができる。
【００４６】
また、ディスプレイモジュールが複数である場合に、マルチディスプレイを行うことによって、美しさをより目立たせることができ、消費者の視線を効果的に誘導することができる。また、人体検出の有無に基づいて透明なディスプレイモジュールの明るさや透明度を調節することによって、電力を節減することができる。また、フレーム内に電力を変換する電源部を配置することによって、ディスプレイモジュールをスリム化し、その活用度を高めることができる。
【図面の簡単な説明】
【００４７】
【図１】一実施例に係るディスプレイシステムの斜視図である。
【図２】一実施例に係るディスプレイシステムの内部構成を示す例示図である。
【図３】一実施例に係るディスプレイシステムに設けられたディスプレイモジュールの内部構成を示す例示図である。
【図４Ａ】一実施例に係るディスプレイシステムに設けられた透明ディスプレイパネルの構造を示す例示図である。
【図４Ｂ】一実施例に係るディスプレイシステムに設けられた透明ディスプレイパネルの構造を示す例示図である。
【図４Ｃ】一実施例に係るディスプレイシステムに設けられた透明ディスプレイパネルの構造を示す例示図である。
【図４Ｄ】一実施例に係るディスプレイシステムに設けられた透明ディスプレイパネルの構造を示す例示図である。
【図５】一実施例に係るディスプレイシステムのボディーとディスプレイモジュール間のケーブル延長を示す例示図である。
【図６】一実施例に係るディスプレイシステムのボディーとディスプレイモジュール間のケーブル延長を示す例示図である。
【図７】一実施例に係るディスプレイシステムの制御構成図である。
【図８】他の実施例に係るディスプレイシステムの制御構成図である。
【図９】図８の詳細制御構成図である。
【図１０】他の実施例に係るディスプレイシステムに設けられたディスプレイモジュールの反転表示を示す例示図である。
【図１１Ａ】他の実施例に係るショーケースのドア開放角度を予測するための構成を示す図である。
【図１１Ｂ】他の実施例に係るショーケースのドア開放角度を予測するための構成を示す図である。
【図１１Ｃ】他の実施例に係るショーケースのドア開放角度を予測するための構成を示す図である。
【図１２】さらに他の実施例に係るディスプレイシステムに設けられたタッチディスプレイパネルの構造図である。
【図１３】さらに他の実施例に係るディスプレイシステムの制御構成図である。
【図１４】さらに他の実施例に係るディスプレイシステムのマルチディスプレイの制御を示す例示図である。
【図１５】さらに他の実施例に係るディスプレイシステムのマルチディスプレイの例示図である。
【図１６】さらに他の実施例に係るディスプレイシステムの斜視図である。
【図１７】さらに他の実施例に係るディスプレイシステムのディスプレイモジュールの装着例を示す図である。
【図１８】さらに他の実施例に係るディスプレイシステムの斜視図である。
【図１９】さらに他の実施例に係るディスプレイシステムの斜視図である。
【図２０】さらに他の実施例に係るディスプレイモジュールのうち、テレビジョンの正面斜視図である。
【図２１】さらに他の実施例に係るテレビジョンの背面斜視図である。
【図２２】さらに他の実施例に係るディスプレイモジュールであるテレビジョンの制御構成図である。
【図２３】図２２の詳細制御構成図である。
【図２４】さらに他の実施例に係るディスプレイモジュールのうち，バスシェルターの例示図である。
【図２５】さらに他の実施例に係るディスプレイモジュールのうち、バスシェルターの制御構成図である。
【図２６】さらに他の実施例に係るディスプレイモジュールのうち、バスシェルターの活用例を示す図である。
【図２７】さらに他の実施例に係るディスプレイモジュールのうち、バスシェルターの例示図である。
【図２８Ａ】さらに他の実施例に係るディスプレイモジュールのうち、案内板の斜視図である。
【図２８Ｂ】さらに他の実施例に係るディスプレイモジュールのうち、案内板の斜視図である。
【図２９】さらに他の実施例に係るディスプレイモジュールのうち、案内板の活用例を示す図である
【図３０】さらに他の実施例に係るディスプレイモジュールのうち案内板の制御構成図である。
【図３１】さらに他の実施例に係るディスプレイモジュールのうち、ショーウィンドウの例示図である。
【図３２】さらに他の実施例に係るディスプレイモジュールのうち、窓の例示図である。
【図３３】さらに他の実施例に係るディスプレイモジュールのうち、床マットの例示図である。
【図３４】さらに他の実施例に係る床マットの構造を示す例示図である。
【発明を実施するための形態】
【００４８】
以下、本発明について詳細に説明する。
【００４９】
ディスプレイシステムは、ボディーと、該ボディーに分離可能に装着されたディスプレイモジュールと、を備える。ここで、ディスプレイモジュールは、透明ディスプレイパネルと、該透明ディスプレイパネルを固定するフレームと、該フレームに設置され、透明ディスプレイパネルの駆動を制御する駆動モジュールと、を有する。
【００５０】
ボディーは、ショーケース、冷蔵庫、キムチ冷蔵庫、及び電子レンジ、オーブンのような調理機器などの機器であり、ディスプレイモジュールは、ショーケース、冷蔵庫、キムチ冷蔵庫、調理機器などの開口に固定されたり、ドアとして取り付けられたりすればよい。
【００５１】
ショーケースは、装飾品、食品、花、薬品、服、食器、本、古物、芸術品などの品物を保管及び陳列する陳列棚で、ショーケース本体の開口に設けられて映像を表示するディスプレイモジュールを有する。それにより、人は映像を見ながらショーケース内の品物を識別することができる。ここで、ディスプレイモジュールは開口の一部分に形成されてもよく、全部分に形成されてもよい。
【００５２】
これを、図面を参照して具体的に説明する。
【００５３】
図１は、一実施例に係るディスプレイシステムを示す斜視図であり、図２は、一実施例に係るディスプレイシステムの内部を示す図であり、図３は、一実施例に係るディスプレイシステムに設けられたディスプレイモジュールを示す図であり、図４は、一実施例に係るディスプレイシステムのディスプレイモジュールに設けられた透明ディスプレイパネルの構造を示す図であり、図５及び図６は、一実施例に係るディスプレイシステムのボディーとディスプレイモジュールとのケーブル延長を示す図であり、図７は、一実施例に係るディスプレイシステムのディスプレイモジュールの制御構成図である。
【００５４】
一実施例のディスプレイシステムは、ボディー１００が食品の新鮮度を保持する冷蔵用ショーケースであり、ディスプレイモジュール２００がショーケースの本体開口に装着されたドアであるとして説明する。
【００５５】
図１及び図２に示すように、ボディー１００である冷蔵用ショーケースは、本体１１０、貯蔵室１２０、棚１３０、機械室１４０、冷気生成室１５０を有する。
【００５６】
本体１１０はショーケースの外観を形成する。本体１１０は、食品を保管するための貯蔵室１２０が内部に形成されており、前面には装着部材１１１及び保護部材１１２が設けられており、且つ開口１１３が形成されている。ここで、装着部材１１１にはドア２００のヒンジ２３０が回転可能に装着される。
【００５７】
保護部材１１２は、第１の孔ｈ１を有し、該第１の孔ｈ１に挿通した第１のケーブルＣ１を保護しつつドア２００に接する。
【００５８】
貯蔵室１２０には、庫内の明るさを調節するための照明１２５が設けられており、且つ食品を多段積載するための複数の棚１３０が設けられている。ここで、照明１２５には、第１のケーブルＣ１から分岐した分岐ケーブルＣ１'から電力が供給される。
【００５９】
複数の棚１３０は、貯蔵室１２０を複数の領域に仕切っている。これにより、貯蔵室１２０に複数の食品を領域別に保管及び陳列することができる。機械室１４０は、貯蔵室１２０の下部に配置されている。この機械室１４０には、冷媒を圧縮する圧縮器１４１と、圧縮器１４１で圧縮された高温高圧状態の冷媒を凝縮する凝縮器１４２と、圧縮器１４１及び凝縮器１４２で発生した熱気を冷まし、凝縮器１４２周囲の空気が熱交換されるようにする冷却ファン１４３と、凝縮器１４２と蒸発器１５１との間に設けられ、貯蔵室１２０の温度に基づいて開放または閉鎖駆動するバルブ１４４と、外部商用電源に接続して、商用電源を各機器の駆動に必要な電力に変換して各機器に供給する第１の電源部１４５と、機械室１４０を開閉するカバー１４６と、が設けられている。
【００６０】
冷気生成室１５０は貯蔵室１２０の上部に配置されている。冷気生成室１５０には、貯蔵室１２０内部の空気を熱交換する蒸発器１５１と、蒸発器１５１で熱交換された冷気を貯蔵室１２０に送風する送風ファン１５２と、が設けられている。
【００６１】
ここで、蒸発器１５１は、バルブ１４４が開くと、凝縮器１４２から冷媒が供給され、この時、低温の液体冷媒が気体冷媒に変化しながら周囲の潜熱を吸収する冷却作用を行う。これにより、周辺の空気及び貯蔵室１２０の空気が冷却される。すなわち、蒸発器１５１は貯蔵室１２０を低温化させる役割を担う。冷気生成室１５０は、冷気が流動するダクト１５３をさらに備えている。
【００６２】
ダクト１５３は、本体１１０の後面に設けられている。なお、本体１１０の後面に設けられたダクト１５３に、蒸発器１５１と送風ファン１５２が取り付けられてもよい。ダクト１５３と貯蔵室１２０との間の壁面には複数の孔が形成されている。これら複数個の孔を通って冷気がダクト１５３と貯蔵室１２０との間を移動する。
【００６３】
ディスプレイモジュールであるドア２００は、開き戸の形態で本体１１０の前面開口１１３に取り付けられており、且つ貯蔵室１２０の領域に対応する開口１１３に装着されて貯蔵室１２０を外部と遮断することで、貯蔵室１２０中の冷気の流出を防止する。ドア２００は、貯蔵室１２０を開閉する機能を担う。すなわち、ドアを開閉して管理者、使用者または消費者が食品を収納したり引き出したりできる。
【００６４】
図３に示すように、ディスプレイモジュールであるドア２００は、透明ディスプレイパネル２１０と、透明ディスプレイパネル２１０を固定するフレーム２２０と、フレーム２２０とパッキング２４０との間の一定空間に装着され、透明ディスプレイパネル２１０の駆動を制御する駆動モジュール２５０と、を有する。
【００６５】
なお、透明ディスプレイパネル２１０は、フレーム２２０により形成される枠内に装着されるが、フレームにより形成される枠内の一部分に装着されても、全部分に装着されてもよい。
【００６６】
そして、ディスプレイモジュールであるドア２００は、フレーム２２０の一側上下に設けられており、本体１１０の装着部材１１１にそれぞれ装着されて、ドア２２０の一側が本体１１０に回転可能に固定されるようにするヒンジ２３０と、フレーム２２０の、本体１１０の前面に接する面に装着されて、ドアを閉じる際、本体１１０との衝撃を吸収し、貯蔵室１２０との密着度を向上させるパッキング２４０と、をさらに有する。そのため、駆動モジュール２５０はフレーム２２０とパッキング２４０により外部衝撃から安全に保護される。
【００６７】
このようなディスプレイモジュールであるドア２００を、図４Ａ乃至図４Ｄ、図５及び図６を参照して具体的に説明する。
【００６８】
図４Ａに示すように、フレーム２２０は、複数個の枠部材２２１，２２２からなり、複数個の枠部材２２１，２２２は互いに分離可能に結合される。
【００６９】
複数個の枠部材２２１，２２２のうち、ボディーであるショーケース１００に接する枠部材２２２には、パッキング２４０が着脱可能に取り付けられる。各枠部材２２１，２２２は開口２２３を有し、この開口２２３に透明ディスプレイパネル２１０が配置される。すなわち、フレーム２２０は透明ディスプレイパネル２１０の周縁に配置されることによって、ディスプレイモジュールであるドアの縁となる。
【００７０】
複数個の枠部材２２１，２２２内には、透明ディスプレイパネル２１０を支持する支持部材２２４が複数個設けられている。
【００７１】
さらにいうと、枠部材２２１，２２２の間に透明ディスプレイパネル２１０が挟み込まれ、両枠部材２２１，２２３の結合により透明ディスプレイパネル２１０がフレーム２２０に固定される。この時、複数の支持部材２２４は透明ディスプレイパネル２１０の各側面を支持する。ここで、複数の支持部材２２４は、両枠部材２２１，２２２を相互結合させる結合部材の機能も担う。
【００７２】
図４Ｂに示すように、透明ディスプレイパネル２１０がフレーム２２０に挟着されるため、ディスプレイモジュールであるドアの透明ディスプレイパネル２１０の厚さＤ１はフレーム２２０の厚さＤ２よりも薄くなっている。
【００７３】
図４Ｃに示すように、ディスプレイモジュールであるドア２００の前面の表面積は、透明ディスプレイパネル２２０の占める表面積Ａ１と、フレーム２２０の占める表面積Ａ２と、からなり、ここで、透明ディスプレイパネル２２０の占める表面積Ａ１はフレーム２２０の占める表面積Ａ２よりも広くなっている。
【００７４】
なお、駆動モジュール２５０の設置が容易且つ安全となるように、駆動モジュール２５０が取り付けられる一側面のフレーム幅Ｗ１を、その他の側面フレーム幅Ｗ２よりも広くさせてもよい。
【００７５】
透明ディスプレイパネル２１０は、ＬＣＤ（Ｌｉｑｕｉｄ  Ｃｒｙｓｔａｌ  Ｄｉｓｐｌａｙ）及びＯＬＥＤ（Ｏｒｇａｎｉｃ  Ｌｉｇｈｔ  Ｅｍｉｔｔｉｎｇ  Ｄｉｏｄｅｓ）のいずれかのディスプレイパネルとすればよく、ここではＬＣＤを挙げて説明する。
【００７６】
図４Ｄに示すように、透明ディスプレイパネル２１０は、導光板２１１、第１の偏光板２１２と、液晶パネル２１３、第２の偏光板２１４、第１のシート２１５、及び第２のシート２１６を有する。
【００７７】
光源は、導光板２１１の側方向に配置される。光源は、陰極線蛍光ランプ（ＣＣＦＬ：ｃｏｌｄ  ｃａｔｈｏｄｅ  ｆｌｕｏｒｅｓｃｅｎｃｅ  ｌａｍｐ）、外部電極蛍光ランプ（ＥＥＦＬ：ｅｘｔｅｒｎａｌ  ｅｌｅｃｔｒｏｄｅ  ｆｌｕｏｒｅｓｃｅｎｃｅ  ｌａｍｐ）のようなランプ、発光ダイオードアレイ、貯蔵室１２０内の照明１２５、及び自然光のいずれかにすれば良い。光源から発された光は、左円偏光成分と右円偏光成分を含む円偏光とする。
【００７８】
導光板２１１は、光源から発された光が第１の偏光板２１２に入射するようにする。導光板２１１は、第１及び第２の屈折層（図示せず）を有し、第２の屈折層は第１の屈折層の屈折率よりも大きい媒質からなることで、光源から発された光を全反射し、全反射した光が前方の第１の偏光板２１２に入るようにする。導光板２１１は、第１の屈折層と第２の屈折層を通って自然光が液晶パネル２１３に入射するようにする。
【００７９】
第１及び第２の偏光板２１２，２１４は、コレステリック液晶（ｃｈｏｌｅｓｔｅｒｉｃ  ｌｉｑｕｉｄ  ｃｒｙｓｔａｌｓ）（図示せず）をそれぞれ含み、第１及び第２の偏光板２１２，２１４のコレステリック液晶は多数のコレステリック液晶分子を含む。
【００８０】
ここで、コレステリック液晶分子は、左旋性構造と右旋性構造を有する。そのため、左旋性構造のコレステリック液晶分子により、光の左円偏光は透過され、右円偏光は反射される。また、右旋性構造のコレステリック液晶分子により、光の左円偏光は反射され、右円偏光は透過される。したがって、第１の偏光板２１２により透過された偏光はＰ波となり、反射された偏光はＳ波となる。
【００８１】
一方、第１の偏光板２１２により反射されたＳ波は導光板２１１に入射し、導光板２１１の第２の屈折層によりＳ波は反射される。この反射された光はＰ波に変換され、このＰ波は第１の偏光板２１２により透過可能である。これにより、導光板２１１は反射板の機能も有することができる。
【００８２】
液晶パネル２１３は、スイッチング素子である薄膜トランジスタ、及びこの薄膜トランジスタと電気的に接続された画素電極を有する第１の基板と、光源から入射する光を遮断し、一定の間隔で配置されたブラックマトリクス、これらブラックマトリクスの間の領域に形成されたカラーフィルターパターン、及びこれらカラーフィルターパターン上に形成されたオーバーコート層を有する第２の基板と、第１の基板と第２の基板との間に注入された液晶層と、を備える。
【００８３】
このような液晶パネル２１３は、制御部２５０から伝達される映像情報に基づいて液晶セルの光透過率を調節することによって映像を形成する。液晶パネル２１３は、液晶セルの駆動によって第１の偏光板２１２から入射したＰ波を透過させても、透過させなくてもよい。すなわち、液晶パネル２１３の液晶セルの駆動によって光の透過量が調節され、階調を有する映像がディスプレイされる。
【００８４】
具体的に、液晶パネル２１３の駆動によりＰ波の位相が可変するが、Ｐ波の位相が９０°に変化するとき、第２の偏光板２１４によって最大光量が透過されてホワイト階調が具現され、Ｐ波の位相が４５°に変化する時、第２の偏光板２１４によってより少ない光量が透過されて中間階調が具現される。
【００８５】
したがって、液晶パネル２１３の液晶セルに加えられる電界の強度によって液晶の変位が可変し、このような変位量によってＰ波の位相が０°〜９０°の範囲で可変することで所望の階調が得られる。
【００８６】
第２の偏光板２１４は、液晶パネル２１３の一側に設けられ、第１の偏光板２１２と垂直の光軸を有する。したがって、液晶パネル２１３の液晶の駆動によって可変した第１の偏光板２１２の偏光の位相によって光の透過量を調節する。
【００８７】
これにより、使用者または消費者は、透明ディスプレイパネル２１０から広告や食品の情報を見ながら、貯蔵室１２０に陳列された食品を見ることができる。第１のシート２１５は、透明ディスプレイパネル２１０の両面のうち、貯蔵室１２０と隣接した面、すなわち、導光板２１１の一側に設けられた断熱シートであり、透明ディスプレイパネル２１０の駆動によって発生した熱により貯蔵室１２０内の温度が上昇することを防止する。
【００８８】
第２のシート２１６は、透明ディスプレイパネル２１０の両面のうち、外部に露出される面、すなわち、第２の偏光板２１４の一側に設けられた無反射コーティングフィルムであり、光が反射されることを防止することによって、ショーケースの側面からも、または明るい日にも、貯蔵室１２０の内部、透明ディスプレイパネル２１０の映像などがよく見えるようにする。
【００８９】
透明ディスプレイパネル構造の他の例を簡略に説明する。これは、透明ディスプレイパネルの第１の偏光板が導光板の側面に設けられる例であり、光源から発された光を偏光させる第１の偏光板と、第１の偏光板の一側に設けられ、第１の偏光板を通って入射する偏光を前面に出射させる導光板と、導光板の前面に設けられ、導光板から入射する光によって映像を表示する液晶パネルと、液晶パネルの前面に設けられた第２の偏光板と、を有する。
【００９０】
ここで、第１の偏光板は、導光板の入光面に隣接するようにして導光板の一側に配置される。このとき、第１の偏光板は、第１の偏光及び第２の偏光を有する光から第１の偏光のみを透過させる。
【００９１】
第２の偏光板は、第１の偏光板と垂直の光軸を有する。したがって、液晶パネルの液晶セルの駆動によって可変した第１の偏光板の第１の偏光の位相によって光の透過量が調節される。例えば、第１の偏光の位相が０°であると、第１の偏光は第２の偏光板で透過しないし、第１の偏光の位相が増加するほど第２の偏光板でより多い第１の偏光の光量を透過させる。すなわち、第１の偏光の光量が増加するほどより大きい階調を得ることができる。
【００９２】
液晶パネルには自然光の第１の偏光も第２の偏光も入射する。そのため、液晶パネルの液晶セルが駆動されない時にも自然光の第２の偏光が液晶パネルを透過し、液晶パネルの液晶セルが駆動される時にも自然光の第１の偏光が液晶パネルを透過する。
【００９３】
したがって、液晶パネルはその駆動に拘わることなく自然光により透明な状態を維持する。
【００９４】
すなわち、透明ディスプレイパネル２１０は、表示駆動命令に拘わらずに自然光により透明な状態を維持する。これにより、使用者または消費者は、貯蔵室１２０に陳列された食品をいつでも見ることができる。このような透明ディスプレイパネル２１０は、駆動モジュール２５０に備えられた制御部２５３の命令に対応して広告、食品情報、カスタマイズ情報などを表示する。
【００９５】
そして、駆動モジュール２５０は、少なくとも一つの印刷回路基板（ＰＣＢ）であり、駆動モジュール２５０には、第１の電源部１４５の電力を通信部の駆動電力、制御部の駆動電力及び表示駆動部の駆動電力にそれぞれ変換する第２の電源部２５１と、サーバーから伝送されたデータを受信する通信部２５２と、受信したデータを信号処理し、信号処理されたデータに対応する駆動命令を出力する制御部２５３と、透明ディスプレイパネルにデータが表示されるように制御部の命令に対応して駆動する表示駆動部２５４と、が備えられている。これらの第２の電源部、通信部、制御部、表示駆動部のうち少なくとも２つは、少なくとも一つの印刷回路基板に配置されるとよい。
【００９６】
第２の電源部２５１は、本体１１０の第１の電源部１４５と第１のケーブルＣ１により接続し、第１の電源部１４５から電力を受ける。
【００９７】
第１のケーブルＣ１は、ボディー１００及びドア２００に存在する。すなわち、第１のケーブルＣ１はボディー１００からドア２００まで延びている。このような本体１１０とドア１７０間のケーブル延長構造の例を、図５及び図６を参照して説明する。
【００９８】
一例として、図５に示すように、ドア２００のパッキング２４０は第２の孔ｈ２を有する。パッキング２４０の第２の孔ｈ２は、本体１１０の保護部材１１２と接する位置とする。また、本体１１０は、保護部材１１２の孔ｈ１に対応する位置に形成された孔を有する。
【００９９】
このような構造により、第１の電源部１４５に接続されたケーブルＣ１が、本体１１０の保護部材１１２の第１の孔ｈ１、及びドア２００のパッキング２４０の第２の孔ｈ２を通ってドア２００の第２の電源部２５１まで延長される。なお、ドア２００のパッキング２４０に形成された第２の孔ｈ２は、ドア２００のフレーム２２０に形成されてもよい。
【０１００】
他の例として、図６に示すように、ドア２００の上下フレーム２２０はヒンジ２３０をそれぞれ有する。このヒンジ２３０は、本体１１０の装着部材１１１に回転可能に装着され、これによりドア２００の一側が本体１１０に回転可能に固定される。すなわち、ドア２００は、ヒンジ２３０により開き戸の形態で本体１１０に取り付けられる。
【０１０１】
本体１１０の装着部材１１１には第１の孔ｈ３が形成されており、ドア２００のヒンジ２３０には第２の孔ｈ４が形成されている。ここで、第２の孔ｈ４はドア２００のフレーム２２０まで延びている。なお、本体１１０は、装着部材１１１の孔ｈ３と対応する位置に形成された孔を有し、ドア２００のフレーム２２０は、ヒンジ２３０の第２の孔ｈ４と対応する位置に形成された孔を有する。このような構造により、第１の電源部１４５に接続されたケーブルＣ１が、本体１１０の装着部材１１１の第１の孔ｈ３、及びドア２００のヒンジ２３０の第２の孔ｈ４を通ってドア２００の第２の電源部２５１まで延長される。
【０１０２】
図７は、一実施例に係るディスプレイシステムに設けられたディスプレイモジュールの制御構成図であり、第２の電源部２５１、通信部２５２、制御部２５３、及び表示駆動部２５４が備えられている。ここで、第２の電源部２５１、通信部２５２、制御部２５３、表示駆動部２５４は、ディスプレイモジュールであるドア２００のフレーム２２０に配置された駆動モジュール２５０に設けられている。
【０１０３】
第２の電源部２５１は、本体１１０の第１の電源部１４５と第１のケーブルＣ１を介して接続され、第１の電源部１４５から電力が供給され、供給された電力を通信部の駆動電力、制御部の駆動電力及び表示駆動部の駆動電力にそれぞれ変換し、変換された電力を通信部２５２、制御部２５３、表示駆動部２５４に供給する。この第２の電源部２５１は、ＡＣ／ＤＣ変換及びＤＣ／ＤＣ変換を行う。通信部２５２は、サーバー及び端末機のいずれか一方からデータを受信し、受信したデータを制御部２５３に伝送する。この通信部２５２は、有線通信及び無線通信のうち少なくとも一つの通信を行う。
【０１０４】
ここで、データには、広告映像データ、食品別の製造、賞味期限、営養素、原産地などの食品データ、イベント案内映像データ、割引クーポン映像データ、ショーケース周辺の案内図映像データなどが含まれる。このような映像データは、絵、写真、文字、動画などの形式情報も含む。
【０１０５】
なお、サーバーは通信部２５２と有線通信及び無線通信のうち少なくとも一つの通信を行い、端末機は通信部２５２とＷｉＦｉ（Ｗｉｒｅｌｅｓｓ  Ｆｉｄｅｌｉｔｙ）、ブルートゥースのような無線通信を行う。
【０１０６】
また、端末機は管理者端末機であって、透明ディスプレイパネル２１０の駆動を直接制御することも可能である。端末機がスマートフォンであると、スマートフォンにはショーケースのディスプレイ制御のためのアプリケーションが設置されている。このアプリケーションは、アプリケーションストア（Ａｐｐｌｉｃａｔｉｏｎ  Ｓｔｏｒｅ）であるアップストアまたはサーバーからダウンロードすればよく、アップグレード及びアップデートも可能である。
【０１０７】
制御部２５３は、受信されたデータを信号処理し、信号処理されたデータに対応する駆動命令を表示駆動部２５４に出力する。この時、制御部２５３は、あらかじめ設定されたフォーマットでデータを受信し、受信したフォーマットをデコーディングする。表示駆動部２５４は、透明ディスプレイパネルにデータが表示されるように制御部の命令に対応して駆動する。表示駆動部２５４は、制御部２５３の命令に対応して液晶パネル２１３の液晶セルを駆動させることによって、透明ディスプレイパネル２１０に映像が表示されるようにし、且つ透明度が調節されるようにする。
【０１０８】
ディスプレイモジュールは、データを保存する保存部と、通信部に受信されたデータまたは保存部に保存されたデータのいずれか一つを選択するための入力部と、をさらに有してもよい。
【０１０９】
このとき、制御部は、入力部を介して選択されたデータを確認し、確認されたデータを信号処理した後、信号処理されたデータに対応する駆動命令を表示駆動部２５４に伝送する。
【０１１０】
保存部に複数のデータが保存されていると、制御部２５３は、複数のデータのうちいずれか一つのデータが表示されるように制御してもよく、複数のデータが一定の時間間隔で順次に表示されるように制御してもよい。ここで、保存部に保存されたデータは、サーバー及び端末機の少なくとも一方から受信して保存したもので、圧縮ファイルの形態で保存していてもよい。
【０１１１】
図８は、他の実施例に係るディスプレイシステムの制御構成図であり、第２の電源部２５１、通信部２５２、制御部２５３、表示駆動部２５４、サウンド駆動部２５５、保存部２５６、入力部２６０、認識部２７０、及び検出部２８０が備えられている。
【０１１２】
ここで、第２の電源部２５１、通信部２５２、制御部２５３、表示駆動部２５４、サウンド駆動部２５５、保存部２５６は一つの駆動モジュールに備えられてもよい。
【０１１３】
入力部２６０、認識部２７０、検出部２８０を駆動モジュール２５０に併せて配置してもよく、入力部２６０、認識部２７０、検出部２８０をフレームに配置し、駆動モジュール２５０の制御部２５３と電気的に接続させてもよい。
【０１１４】
第２の電源部２５１は、本体１１０の第１の電源部１４５と第１のケーブルＣ１で接続され、第１の電源部１４５から電力が供給され、供給された電力を各構成部の駆動に必要な駆動電力に変換し、変換された電力を通信部２５２、制御部２５３、表示駆動部２５４、サウンド駆動部２５５、保存部２５６、入力部２６０、認識部２７０及び検出部２８０にそれぞれ供給する。
【０１１５】
このような第２の電源部２５１は、ＡＣ／ＤＣ変換及びＤＣ／ＤＣ変換を行う。通信部２５２は、サーバー及びスマートフォンのような端末機と通信を行い、サーバー及び端末機のいずれか一方から伝送された映像データ及びサウンドデータのうち少なくとも一つのデータを受信し、受信した少なくとも一つのデータを制御部２５３に伝送する。この通信部２５２は、有線通信及び無線通信のうち少なくとも一つの通信を行う。なお、サーバーは通信部２５２と有線通信及び無線通信のうち少なくとも一つの通信を行い、端末機は通信部２５２とＷｉＦｉ、ブルートゥースのような無線通信を行う。
【０１１６】
また、端末機は管理者端末機であって、透明ディスプレイパネル２１０の駆動を直接制御してもよい。端末機がスマートフォンであると、スマートフォンにはショーケースのディスプレイ制御のためのアプリケーションが設置されている。このアプリケーションは、アプリケーションストアであるアップストアまたはサーバーからダウンロードすればよく、アップグレード及びアップデートも可能である。
【０１１７】
通信部２５２は、ＷｉＦｉ、ブルートゥースのような無線通信を用いて消費者端末機と通信を行うことも可能である。このとき、通信部２５２は、消費者端末機から受信した消費者の名前及びＩＤを制御部２５３に送信し、且つ消費者端末機から受信したカスタマイズ情報表示許可信号を制御部２５３に伝送する。制御部２５３は、通信部２５２から受信したデータを信号処理し、信号処理されたデータに対応する駆動命令を表示駆動部２５４に出力する。この時、制御部２５３は、あらかじめ設定されたフォーマットでデータを受信し、受信したフォーマットをデコーディングする。また、制御部２５３は、保存部２５６に保存されたデータを信号処理し、信号処理されたデータに対応する駆動命令を表示駆動部２５４に出力する。この制御部２５３は、図９に示すように、通信部２５２に受信されたデータを信号処理する第１の信号処理部２５３ａと、保存部２５６に保存されたデータを信号処理する第２の信号処理部２５３ｂと、第１の信号処理部及び第２の信号処理部で信号処理されたデータの表示のための駆動命令を生成して出力する表示制御部２５３ｃと、を有する。
【０１１８】
ここで、第１の信号処理部は、有線通信で受信されたデータを信号処理する信号処理部と、無線通信で受信されたデータを信号処理する信号処理部と、をそれぞれ有してもよい。ここで、第２の信号処理部２５３ｂは、保存部へのデータ保存時にデータをエンコーディングしてもよい。なお、制御部２５３と第１、２信号処理部とを別途に構成してもよい。この場合、第１の信号処理部及び第２の信号処理部は、信号処理されたデータを制御部２５３に伝送する。
【０１１９】
表示駆動部２５４は、透明ディスプレイパネルにデータが表示されるように制御部の命令に対応して駆動する。表示駆動部２５４は、制御部２５３の命令に対応して液晶パネル２１３の液晶セルを駆動させることによって透明ディスプレイパネル２１０に映像を表示し、透明度を調節する。また、表示駆動部２５４は、制御部２５３の命令に対応してデータを反転させて出力することによって、透明ディスプレイパネル２１０に映像を反転させて表示する。
【０１２０】
サウンド駆動部２５５は、制御部２５３の命令に応じて透明ディスプレイパネル２１０に表示される映像に対応するサウンドをスピーカーから出力する。例えば、サウンド駆動部２５５は、透明ディスプレイパネル２１０に広告映像が表示されると、当該広告のサウンドをスピーカーから出力し、ドア閉鎖を知らせるサウンドを出力する。
【０１２１】
保存部２５６は、サーバー及び端末機のいずれかから伝送されたデータを保存する。このとき、データは圧縮ファイルの形態で保存されてもよい。保存部２５６は、消費者別の名前及びＩＤに対応する消費者情報を保存する。ここで、消費者情報は、購買日、品目別購買量、購買内訳、消費パターンなどのカスタマイズ情報、ＩＤ、消費者端末機情報、消費者身上情報などが挙げられる。ここで、カスタマイズ情報は端末機から伝送されたものである。保存部２５６は、貯蔵室１２０に保管された食品の情報を保存する。ここで、食品の情報としては、製造日、賞味期限、原産地、カロリー、営養素、メーカー、広告映像などの情報が挙げられる。
【０１２２】
制御部２５３は、入力部２６０、認識部２７０及び検出部２８０のいずれか一つから入力された信号に基づいて表示駆動部２５４及びサウンド駆動部２５５の駆動を制御する。これについてより詳しく説明する。まず、制御部２５３と入力部２６０間の制御構成についてより詳しく説明する。入力部２６０は、電源をオン／オフするための電源モード、広告映像を表示する第１のモード、貯蔵室１２０に貯蔵された食品の情報映像を表示する第２のモード、透明ディスプレイパネルの透明度を調節する第３のモード、保存部２５６に保存された映像の情報をアップデートするためのアップデートモードボタン（図示せず）などを有する。
【０１２３】
入力部２６０は、使用者により入力されたボタンの信号を制御部２５３に伝送する。制御部２５３は、入力部２６０から伝送されたボタンの信号に基づいて表示駆動部２５４の駆動を制御する。
【０１２４】
より具体的には、制御部２５３は、透明ディスプレイパネルに電力が供給されている状態で電源モードボタンの入力信号が伝送されると、透明ディスプレイパネルの映像表示を終了するように制御することによって、透明ディスプレイパネルを透明状態に維持させる。一方、透明ディスプレイパネルへの電力が遮断された状態で電源モードボタンの入力信号が伝送されると、透明ディスプレイパネルの映像が表示されるように制御することによって、透明ディスプレイパネルに広告または食品情報を表示させる。この時、電源オフ前のモードが実行されたり、または電源オンの際に定められたモードが実行される。
【０１２５】
制御部２５３は、第１のモードボタンの入力信号が伝送されると、透明ディスプレイパネルに広告映像が表示されるように制御し、第２のモードボタンの入力信号が伝送されると、透明ディスプレイパネルに食品情報映像が表示されるように制御し、第３のモードボタンの入力信号が伝送されると、透明ディスプレイパネルの透明度が調節されるように制御する。
【０１２６】
なお、保存部２５６は、モード別映像情報を保存する。次に、制御部２５３と認識部２７０間の制御構成をより詳しく説明する。認識部２７０は、タグを認識するタグ認識部と、バーコードまたはＱＲコード（登録商標）を認識するコード認識部のうち少なくとも一つの認識部を有する。
【０１２７】
ここで、タグ認識部は、無線周波数を用いてＲＦＩＤ（Ｒａｄｉｏ  Ｆｒｅｑｕｅｎｃｙ  Ｉｄｅｎｔｉｆｉｃａｔｉｏｎ）タグに保存されたデータを認識するＲＦＩＤ認識部であり、消費者の電源カードなどに付着されたタグ（図示せず）中のデータを認識し、認識されたデータを制御部２５３に伝送する。
【０１２８】
コード認識部は、食品に付いたバーコードまたはＱＲコード（Ｑｕｉｃｋ  Ｒｅｓｐｏｎｓｅ  ｃｏｄｅ）をスキャンし、スキャンしたデータを制御部２５３に伝送する。制御部２５３は、認識部２７０から伝送されたタグのデータに基づいて消費者の名前及びＩＤを確認し、消費者のカスタマイズ情報が表示されるように表示駆動部２５４の駆動を制御する。
【０１２９】
具体的に、制御部２５３は、タグ中の消費者の名前及びＩＤを確認し、消費者の名前またはニックネームに加えて歓迎挨拶などの映像などが透明ディスプレイパネルに表示されるように制御し、確認されたＩＤと一致する消費者の情報を保存部２５６から読み取り、読み取った消費者のカスタマイズ情報が透明ディスプレイパネルに表示されるように制御する。
【０１３０】
ここで、消費者のカスタマイズ情報は、一定期間中における購買日、購買内訳、品目別購買量、消費パターンなどの情報のことを指し、消費者の効率的な消費をアドバイスする。
【０１３１】
なお、制御部２５３は、タグ中のデータに基づいて消費者端末機と通信を行い、消費者端末機からカスタマイズ情報表示許可信号が伝送されると、カスタマイズ情報が透明ディスプレイパネルに表示されるように制御することもできる。ここで、消費者端末機と通信時に、消費者ＩＤに基づいて保存部２５６に保存された消費者端末機情報を読み取り、読み取った情報に基づいて消費者端末機と通信を行ってもよい。また、制御部２５３は、消費者端末機と通信を行って消費者端末機にカスタマイズ情報を送信してもよい。また、制御部２５３は、消費者端末機と通信を行って消費者の名前及びＩＤを獲得し、獲得された消費者の名前及びＩＤに基づいて表示駆動部２５４の駆動を制御してもよい。
【０１３２】
制御部２５３は、バーコードまたはＱＲコードのスキャンデータに基づいて当該食品の情報を確認し、確認された食品の情報が保存部２５６に保存されているか否か確認し、当該食品の情報が保存部２５６に保存されていないと、当該食品の情報を保存部２５６に伝送することによって食品の情報が保存部２５６に保存されるようにする。また、制御部２５３は、当該食品の情報が保存部２５６に保存されていると、保存部２５６に保存された当該食品の情報をアップデートする。なお、制御部２５３は、保存部２５６に保存された食品の情報がスキャン情報と同一あると、保存部２５６に保存された食品の情報がそのまま維持されるように制御してもよい。
【０１３３】
このように、ショーケースに食品が追加に陳列される場合に、コード認識部を用いて追加陳列される食品に関する情報をアップデートすることで、ショーケースに陳列される食品に関する情報を落とすことなく管理することができる。
【０１３４】
また、制御部２５３は、食品のスキャンデータに基づいて当該食品に対応する広告映像が保存部２５６に保存されているか否か確認し、保存部２５６に当該食品に対する広告映像が保存されていると、当該食品に対する広告映像がディスプレイされるように制御してもよい。ここで、追加陳列される食品に対する広告映像ディスプレイ順序は、あらかじめ定められた広告順序を考慮して定められる。または、追加陳列された食品に対する広告映像ディスプレイ順序は管理者により定められてもよい。
【０１３５】
また、制御部２５３は、食品のスキャンデータに当該食品に関する映像情報が存在するか否か判断し、スキャンデータに当該食品に関する映像情報が存在すると、この映像情報を当該食品に対する広告映像として表示するように制御してもよい。次に、制御部２５３と検出部２８０間の制御構成をより詳しく説明する。検出部２８０は、人体を検出する人体検出部及びドアの開閉を検出するドア開閉検出部のうち少なくとも一つの検出部を有する。ここで、制御部２５３は、人体検出の有無に基づいて透明ディスプレイパネルの透明度及び明るさのうち少なくとも一つを調整し、ドア開閉に基づいて映像の反転を制御し、ドア開放時間に基づいて映像の変更を制御する。
【０１３６】
人体検出部と制御部間の制御構成を説明する。人体検出部は、人体がいるか否かを検出するもので、人体の熱を検出する熱赤外線センサー、人体の動きを検出するモーションセンサー、人体により加えられる重さを検出するロードセンサーなど、人体がいるか否かを確認できるセンサーであればいずれも適用可能である。これらのうち、熱赤外線センサーを挙げて説明する。
【０１３７】
熱赤外線センサーは、ショーケース周辺の熱赤外線を検出して制御部２５３に伝送する。この時、制御部２５３は、熱赤外線に基づいてショーケース周辺に人がいるか否かを判断し、ショーケース周辺に人がいることが判断されると、表示駆動部２５４の駆動を制御して透明ディスプレイパネル２１０の透明度または明るさを調節する。
【０１３８】
例えば、ショーケース周辺に人がいないと、透明ディスプレイパネル２１０の透明度を向上させることによって貯蔵室１２０に陳列されている食品がよりよく見えるようにし、または透明ディスプレイパネル２１０の明るさを向上させることによって透明ディスプレイパネル２１０に表示される映像がより明確に見えるようにする。また、ショーケース周辺に人がいない時には明るさを暗くすることで電力節減を図ることもできる。
【０１３９】
また、制御部２５３は、ショーケース周辺に人が近づいたと判断されると、透明ディスプレイパネル２１０に表示される映像が変更されるように制御してもよい。例えば、透明ディスプレイパネル２１０上に動きのない映像のみを出力している中に、人が近づいたと判断されると、動きのある動画へと映像表示を変更することで人の視線を引く。
【０１４０】
ドア開閉検出部と制御部間の制御構成を説明する。ここで、ドア開閉検出部は、ドアの開放及び閉鎖を検出するもので、温度センサー、赤外線センサー、超音波センサー、ホールセンサー、マイクロスイッチなど、ドアの開閉を確認できるセンサーであればいずれも適用可能である。
【０１４１】
制御部２５３は、ドア２００が開くと、ドア閉鎖時の映像が反転して表示されるように表示駆動部２５４の駆動を制御し、且つドア２００の開放時間をカウントし、カウントされたドアの開放時間が基準時間を越えると、冷気流出による食品の新鮮度低下を知らせる語句、ドア２００を閉じるように指示する語句の映像などが表示されるように表示駆動部２５４の駆動を制御する。制御部２５３は、現在表示されている映像情報に基づいて、現在表示されている映像に語句が存在するか否か判断し、語句が存在しないと、映像を反転させる制御を行わなくても良い。
【０１４２】
この時、保存部２５６は、モード別映像情報及び各映像の反転映像情報を保存し、食品の新鮮度を維持するために貯蔵室の冷気を效率的に管理するためのドア２００開放の基準時間を保存し、ドア開放時間の超過によるドア閉鎖を指示する語句などを含む映像情報を保存する。
【０１４３】
図１０に示すように、使用者や消費者は、ショーケースのドア２００閉鎖時にドアの外側面から語句映像「Ｂ」を正確に見ることができ、また、ドア２００開放時にドア２００に表示された語句が反転し、ドアの内側面からも語句映像「Ｂ」を正確に見ることができる。
【０１４４】
温度センサーを用いたドア開閉検出及び透明ディスプレイパネルの表示制御例を説明する。温度センサーは、貯蔵室１２０の庫内温度を検出し、検出された温度を制御部２５３に伝送する。このとき、制御部２５３は貯蔵室１２０の庫内温度をモニタリングし、貯蔵室１２０の庫内温度の変化率を算出し、貯蔵室１２０の庫内温度の変化率が基準変化率を超えるとドア２００の開放と判断し、ドア開放と判断された時、透明ディスプレイパネル２１０に表示される映像が反転するように制御してもよい。制御部２５３は、貯蔵室１２０の庫内温度の変化に基づいてドア開放時間を予測してもよい。温度の変化は、ドアが開放状態に維持されると貯蔵室１２０の庫内温度が基準温度のまま維持され、ドアが開放状態から閉鎖状態に変わると、貯蔵室の冷気と外部空気との熱交換が行われず、基準温度帯よりも低い温度に下降する。
【０１４５】
ここで、基準温度帯とは、ドア開放時の貯蔵室内の平均温度帯のことを指す。制御部２５３は、ドア開放時間と基準時間とを比較し、ドア開放時間が基準時間を超えると、透明ディスプレイパネル２１０に表示される映像が変更されるように制御してもよい。
【０１４６】
例えば、透明ディスプレイパネル２１０は、ドア閉鎖を指示する映像をディスプレイし、スピーカーはドア閉鎖を知らせるサウンドを出力する。
【０１４７】
赤外線センサーを用いたドア開閉検出及び透明ディスプレイパネルの表示制御例を説明する。赤外線センサーは、本体１１０に設けられた発光部、及びドア２００に設けられた受光部を有する。この赤外線センサーは、ドア開放時に制御部２５３の命令に対応して発光部を駆動し、発光部から発された光を受光部で検出して制御部２５３に伝送する。なお、ドア閉鎖時には発光部が駆動されず、光が検出されない。
【０１４８】
ここで、受光部で検出される光量は、ドア２００の開放によりドア２００と本体１１０との距離が遠くなるほど減少し、ドア２００の閉鎖によりドア２００と本体１１０との距離が短くなるほど増加する。すなわち、光量に基づいてドア開放角度を予測でき、光量検出時間に基づいてドア開放時間を予測できる。
【０１４９】
制御部２５３は、赤外線センサーで検出された光量に基づいてドアの開放角度を判断し、ドアの開放角度が基準角度を超えたか否か判断し、ドアの開放角度が基準角度を超えると、透明ディスプレイパネル２１０に表示される映像が反転するように制御する。また、制御部２５３は、光検出時間に基づいてドア開放時間をカウントし、カウントされたドア開放時間が基準時間を超えると、透明ディスプレイパネル２１０に表示される映像が変更されるように制御する。この時に変更された映像は、ドア閉鎖を指示する映像である。
【０１５０】
超音波センサーを用いたドア開閉検出及び透明ディスプレイパネルの表示制御例を説明する。超音波センサーは、本体１１０に設けられた発振部、及びドア２００に設けられた受信部を有する。この超音波センサーは、ドア開放時に制御部２５３の命令に対応して発振部を駆動し、発振部で発振された超音波を受信部で検出して制御部２５３に伝送する。なお、ドア閉鎖時には、発振部が駆動されず、超音波が検出されない。
【０１５１】
ここで、受信部で検出された超音波の到達時間は、ドア２００開放によりドア２００と本体１１０との距離が遠くなるほど増加し、ドア２００閉鎖によりドア２００と本体１１０との距離が短くなるほど減少する。すなわち、超音波到達時間に基づいてドアの開放角度を予測でき、超音波検出の有無に基づいてドア開放時間を予測できる。
【０１５２】
制御部２５３は、超音波発振時間と検出時間とを比較して超音波到達時間を算出し、算出された超音波到達時間に基づいてドアの開放角度を判断し、判断されたドアの開放角度が基準角度を超えたか否か判断し、ドアの開放角度が基準角度を超えると、透明ディスプレイパネル２１０に表示される映像が反転するように制御する。また、制御部２５３は、超音波検出の有無に基づいてドア開放時間をカウントし、カウントされたドア開放時間が基準時間を超えると、透明ディスプレイパネル２１０に表示される映像が変更されるように制御する。この時変更された映像は、ドア閉鎖を指示する映像である。
【０１５３】
ホールセンサーを用いたドア開閉検出及び透明ディスプレイパネルの表示制御例を説明する。ホールセンサー１９１は、磁場の強度によって発生した電圧を検出するセンサーで、ヒンジ２３０の周辺に対応する位置の本体１１０に設けられ、ドア開放時に制御部２５３から駆動命令が伝送されると、ヒンジ２３０の突起２３１乃至２３５によって発生する電圧を検出して制御部２５３に伝送する。
【０１５４】
図１１の（ａ）に示すように、ヒンジ２３０は、磁気を有する複数個の突起２３０ａ乃至２３０ｅを有する。これら複数の突起２３１乃至２３５は、それぞれサイズが異なっている。ドア開放時に、ドアのフレームに固定されたヒンジ２３０がドアと共に回転すると同時に、ヒンジに固定された突起も回転する。すなわち、ドア２００の回転によって、ホールセンサー１９１に隣接する突起が変わるが、各突起とホールセンサー１９１間の距離がそれぞれ異なっているため、ホールセンサーには突起別に異なった電圧が検出される。この時、ホールセンサーは、突起から発生した磁場の強度に比例する電圧を検出して制御部２５３に伝送する。
【０１５５】
図１１の（ａ）に示すように、ドア２００が時計回り方向に回転するように設けられ、ヒンジ２３０の複数の突起２３１乃至２３５のサイズが時計回り方向に行くほど小さくなっていると、ドア２００の開放角度が大きくなるほど、本体１１０に取りけられたホールセンサー１９１と対面する突起のサイズが次第に大きくなり、ホールセンサー１９１と突起間の距離が短くなる。そのため、磁場の強度が大きくなり、電圧も増加する。
【０１５６】
ここで、図１１の（ｂ）は、ドア閉鎖時にホールセンサー１９１と突起２３１間の距離ｄ１を例示する図であり、図１１の（ｃ）は、ドアの１３５°開放時にホールセンサー１９１と突起２３３間の距離ｄ２を例示する図である。すなわち、ドア開放時にホールセンサーと突起間の距離が短くなることがわかる。
【０１５７】
制御部２５３は、突起別電圧があらかじめ保存されており、ホールセンサー１９１で検出された電圧に対応するドアの開放角度を判断し、検出された電圧に基づいてドア開放時間を予測する。制御部２５３は、ドアの開放角度と基準角度とを比較し、ドアの開放角度が基準角度を超えると、透明ディスプレイパネル２１０に表示される映像が反転するように制御する。
【０１５８】
また、制御部２５３は、検出された電圧に基づいてドアの閉鎖を判断し、ドアの閉鎖と判断されると、ホールセンサー１９１の駆動が停止するように制御し、ドア開放時にドア開放時間をカウントし、カウントされたドア開放時間が基準時間を超えると、透明ディスプレイパネル２１０に表示される映像が変更されるように制御する。この時、変更された映像はドア閉鎖を指示する映像である。
【０１５９】
マイクロスイッチは、ドア閉鎖時にオンになり、ドア開放時にオフになる。すなわち、制御部２５３は、マイクロスイッチからオフ信号が伝送されると、ドア開放と判断し、マイクロスイッチのオフ時間をカウントしてドア開放時間を予測する。制御部２５３は、ドア開放時に、透明ディスプレイパネル２１０に表示される映像が反転するように制御し、ドア開放時間と基準時間とを比較し、ドア開放時間が基準時間を超えると、ドア閉鎖を指示する映像が出力されるように制御する。
【０１６０】
図１２は、さらに他の実施例に係るディスプレイシステムに設けられたディスプレイモジュールの透明ディスプレイパネルの構造を示す図であり、他の実施例に係るショーケースは、一実施例のショーケースとは違い、透明タッチディスプレイパネルを備える。
【０１６１】
透明タッチディスプレイパネルは、透明ディスプレイパネルとタッチパネルとを組み合わせたもので、透明タッチディスプレイパネルは、光源、導光板２１１、第１の偏光板２１２、液晶パネル２１３、第２の偏光板２１４、第１のシート２１５、第２のシート２１６、タッチパネル２１７、発光素子アレイ及び受光素子アレイ２１８を有する。
【０１６２】
他の実施例に係るショーケースにおいて、透明タッチディスプレイパネルと駆動モジュール以外の構成要素は一実施例におけると同一であり、その説明は省略する。
【０１６３】
図１２に示す透明タッチディスプレイパネル２１０において、光源、導光板２１１、第１の偏光板２１２、液晶パネル２１３、第２の偏光板２１４は、図７に示した通りであり、その説明を省略する。
【０１６４】
第１のシート２１５は、透明タッチディスプレイパネル２１０の両面のうち、貯蔵室１２０と隣接する面、すなわち、導光板２１１の一側に設けられた断熱シートであり、透明タッチディスプレイパネル２１０の駆動時に発生する熱により貯蔵室１２０内の温度が上昇することを防止する。
【０１６５】
第２のシート２１６は、透明タッチディスプレイパネル２１０の両面のうち、外部に露出される面、すなわち、タッチパネル２１７の一側に設けられる無反射コーティングフィルムであり、光が反射されることを防止することによって、ショーケースの側面からもまたは明るい日にも、貯蔵室１２０の内部、透明タッチディスプレイパネル２１０の映像などがよく見えるようにする。
【０１６６】
タッチパネル２１７は、抵抗膜方式、静電容量方式、超音波方式、赤外線方式のいずれかの方式とすればよい。本実施例では赤外線方式を挙げて説明する。タッチパネル２１７は、透明パネルからなり、液晶パネルに表示される映像を透過させる。これにより、人はタッチパネル２１７を通して液晶パネルに表示された映像を見ることができる。タッチパネル２１７はフレキシブル（Ｆｌｅｘｉｂｌｅ）パネルで形成され、人の指またはペンのような入力手段が接触すると、人の指またはペンのような入力手段により圧力が加えられて押される。
【０１６７】
このタッチパネル２１７は直方体状になっており、タッチパネルの各側面には発光素子アレイ及び受光素子アレイ２１８がそれぞれ取り付けられている。
【０１６８】
ここで、一つの発光素子アレイはＸ軸方向に配置され、他の発光素子アレイはＹ軸方向に配置され、一つの受光素子アレイはＸ軸方向に配置され、他の受光素子アレイはＹ軸方向に配置される。発光素子アレイは、複数の発光素子からなり、タッチ駆動部２５７の光駆動部の命令に対応して発光し、受光素子アレイは、複数の受光素子からなり、光受信信号をタッチ駆動部２５７の位置検出部に伝送する。
【０１６９】
タッチパネル２１７のいずれか一点に人の指やペンのような入力手段が接触すると、タッチパネル２１７を通過する発光素子アレイの光のうち、少なくとも一つの発光素子の光が遮蔽され、この時、当該発光素子と対応する位置に設けられた受光素子は光を検出できなくなる。すなわち、光を検出した受光素子は、光検出信号をタッチ駆動部２５７の位置検出部に出力し、光を非検出した受光素子は、光非検出信号をタッチ駆動部２５７の位置検出部に出力する。このようなタッチパネル２１７は、マルチタッチも可能である。
【０１７０】
図１３は、さらに他の実施例に係るディスプレイシステムに設けられたディスプレイモジュールの制御構成図であり、第２の電源部２５１、通信部２５２、制御部２５３、表示駆動部２５４、サウンド駆動部２５５、保存部２５６、タッチ駆動部２５７、入力部２６０、認識部２７０、認識部２７０を有する。
【０１７１】
ここで、第２の電源部２５１、通信部２５２、制御部２５３、表示駆動部２５４、サウンド駆動部２５５、保存部２５６、タッチ駆動部２５７は、一つの駆動モジュールに設けられてもよい。
【０１７２】
入力部２６０、認識部２７０、検出部２８０を駆動モジュール２５０に共に配置することもでき、入力部２６０、認識部２７０、検出部２８０をフレームに配置した後、駆動モジュール２５０の制御部２５３と電気的に接続することもできる。
【０１７３】
第２の電源部２５１は、本体１１０の第１の電源部１４５と第１のケーブルＣ１で接続されており、第１の電源部１４５から電力が供給され、供給された電力を各構成部の駆動に必要な駆動電力に変換し、変換された電力を通信部２５２、制御部２５３、表示駆動部２５４、サウンド駆動部２５５、保存部２５６、タッチ駆動部２５７、入力部２６０、認識部２７０及び検出部２８０にそれぞれ供給する。この第２の電源部２５１は、ＡＣ／ＤＣ変換及びＤＣ／ＤＣ変換を行う。
【０１７４】
通信部２５２は、サーバー及びスマートフォンのような端末機と通信を行い、サーバー及び端末機のいずれか一方から伝送された映像データ及びサウンドデータのうち少なくとも一つのデータを受信し、受信した少なくとも一つのデータを制御部２５３に伝送する。この通信部２５２は有線通信及び無線通信のうち少なくとも一つの通信を行う。なお、サーバーは通信部２５２と有線通信及び無線通信のうち少なくとも一つの通信を行い、端末機は通信部２５２とＷｉＦｉ、ブルートゥースのような無線通信を行う。
【０１７５】
制御部２５３は、通信部２５２から受信したデータを信号処理し、信号処理されたデータに対応する駆動命令を表示駆動部２５４に出力する。この時、制御部２５３は、あらかじめ設定されたフォーマットでデータを受信し、受信したフォーマットをデコーディングする。また、制御部２５３は、保存部２５６に保存されたデータを信号処理し、信号処理されたデータに対応する駆動命令を表示駆動部２５４に出力する。制御部２５３は、タッチ駆動部２５７の位置検出部から検出されたタッチ点の位置に基づいて表示駆動部２５４の駆動を制御する。
【０１７６】
この制御部２５３は、位置検出部から伝送されたマルチタッチ点の位置情報に基づいて表示駆動部２５４の駆動を制御してもよい。具体的に、制御部２５３は、タッチ点の位置情報が伝送されると、現在表示されている映像情報を確認し、確認された映像に含まれたボタンのうち、タッチ点の位置に存在するボタンを確認し、確認されたボタンに対応する下位映像が表示され、確認されたボタンに対応する機能が実行されるように制御する。
【０１７７】
例えば、透明タッチディスプレイパネル２１０に「詳しく見る」（図示せず）、「モード変更」のボタンを有する広告映像がディスプレイされ、消費者によりタッチされたタッチ点の位置が「詳しく見る」ボタンの位置であると、「詳しく見る」ボタンに対応する映像情報が表示されるように制御する。
【０１７８】
この時、透明タッチディスプレイパネルは、広告対象物の情報映像を、現在表示されている広告映像と共に表示したり、または、現在表示されている映像を広告対象物情報映像に変換して表示する。
【０１７９】
ここで、広告対象物の情報は、広告対象物の価格、広告対象物を販売する売り場の位置、広告対象物の割引情報、原産地情報などを含むことができる。
【０１８０】
制御部２５３は、透明タッチディスプレイパネルに表示される映像の種類にかかわらず、メニューボタン、モード変更ボタン、アップデートボタンなどが基本的に表示されるように制御する。
【０１８１】
なお、制御部２５３は、透明タッチディスプレイパネルにメニューボタン、モード変更ボタン、アップデートボタンなどが非表示されるように制御するが、使用者により任意位置がタッチされるとメニューボタン、モード変更ボタン、アップデートボタンなどが表示されるようにしてもよい。制御部２５３は、メニューボタン、モード変更ボタン、アップデートボタンなどのように基本的に表示される基本ボタンが、主映像の位置と異なる位置に表示されるように制御することによって、主映像と重ならないようにする。
【０１８２】
制御部２５３は、メニューボタンがタッチされると、メニューの下位ボタンが表示されるように制御し、アップデートボタンがタッチされると、端末機と通信するように制御し、現在保存部２５６に保存されたデータをアップデートし、モード変更ボタンがタッチされると、現在モードを他のモードに変更する。例えば、現在モードが広告映像表示モードであると、品目情報映像表示モードに変更する。
【０１８３】
スーパーなどの場所に設置されるショーケースは、透明タッチディスプレイパネルに表示される基本ボタンとして、イベント案内ボタン、割引クーポンボタン、案内図ボタンをさらに含むことができる。
【０１８４】
この場合、制御部２５３は、イベント案内ボタンがタッチされると、イベント案内映像を表示させ、割引クーポンボタンがタッチされると、割引クーポン映像を表示させ、案内図ボタンがタッチされると、ショーケース周辺の案内図映像を表示させる。なお、割引クーポン映像が表示された場合に、消費者は自身の消費者端末機を用いて割引クーポンの映像を取得し、当該品目購入時に販売員に、端末機に保存された当該クーポンを提示することによって、当該品目の割引を受けることができる。
【０１８５】
表示駆動部２５４及びサウンド駆動部２５５は、他の実施例の構成と同一であるため説明を省略する。保存部２５６は、モード別映像情報及び各映像の反転映像情報を保存し、複数の映像情報に含まれた各種ボタンの機能をそれぞれ保存し、映像情報別各種ボタンの位置を保存し、受光素子アレイにおける各受光素子の位置を保存する。
【０１８６】
保存部２５６は、メニューボタン、モード変更ボタン、アップデートボタン、イベント案内ボタン、割引クーポンボタン、案内図ボタンなどの位置情報を保存し、各ボタンの下位映像を保存する。保存部２５６は、サーバー及び端末機のいずれか一方から伝送されたデータを保存する。このとき、データは圧縮ファイル形態で保存されてもよい。保存部２５６は、消費者別の名前及びＩＤに対応する消費者情報を保存する。ここで消費者情報は、購買日、品目別購買量、購買内訳、消費パターンなどのカスタマイズ情報、ＩＤ、消費者端末機情報、消費者身上情報などを含み、カスタマイズ情報は端末機から伝送されたものである。
【０１８７】
保存部２５６は、貯蔵室１２０に保管された食品の情報を保存する。ここで、食品の情報としては、製造日、賞味期限、原産地、カロリー、営養素、メーカー、広告映像などの情報を含む。
【０１８８】
制御部２５３は、入力部２６０、認識部２７０及び検出部２８０のいずれか一方から入力された信号に基づいて、表示駆動部２５４及びサウンド駆動部２５５の駆動を制御する。タッチ駆動部２５７は、光駆動部及び位置検出部を有する。
【０１８９】
光駆動部は、制御部２５３の命令に対応して発光素子アレイを発光させる。位置検出部は、光検出信号を伝送した受光素子を１と認識し、光非検出信号を伝送した受光素子を０と認識し、０と認識された受光素子の位置を確認してタッチ点の位置を検出し、検出されたタッチ点の位置を制御部２５３に伝送する。
【０１９０】
位置検出部は、マルチタッチ点の位置を検出することもできる。すなわち、位置検出部は、複数の点タッチ時にマルチタッチ点の位置を検出し、検出されたマルチ点の位置を制御部２５３に伝送する。
【０１９１】
さらに、制御部２５３は、管理者端末機から伝送された駆動命令に基づいて透明タッチディスプレイパネルの駆動を制御してもよい。ここで、制御部２５３と検出部２８０間の制御構成は、他の実施例と同一であるため説明を省略する。
【０１９２】
まず、制御部２５３と入力部２６０間の制御構成を説明する。入力部２６０は、電源をオン／オフするための電源モードボタン（図示せず）などを有する。入力部２６０は、使用者により入力されたボタンの信号を制御部２５３に伝送する。制御部２５３は、電源モードボタンの入力信号に対応して透明ディスプレイパネルへの電力の供給を制御する。次に、制御部２５３と認識部２７０間の制御構成を説明する。ここで、認識部２７０は、タグ認識部及びコード認識部のうち少なくとも一つの認識部を有する。
【０１９３】
まず、タグ認識部は、無線周波数を用いてＲＦＩＤ（Ｒａｄｉｏ  Ｆｒｅｑｕｅｎｃｙ  Ｉｄｅｎｔｉｆｉｃａｔｉｏｎ）タグに保存されたデータを認識するＲＦＩＤ認識部であり、消費者の電源カードなどに付着されたタグ（図示せず）内のデータを読み取り、読み取ったデータを制御部２５３に伝送する。
【０１９４】
コード認識部は、バーコードまたはＱＲコード（Ｑｕｉｃｋ  Ｒｅｓｐｏｎｓｅ  ｃｏｄｅ）認識部であり、食品に付いたコードをスキャンし、スキャンしたデータを制御部２５３に伝送する。
【０１９５】
制御部２５３は、タグ認識部から伝送されたタグのデータに基づいて消費者の名前及びＩＤを確認し、消費者のカスタマイズ情報が表示されるように表示駆動部２５４の駆動を制御する。具体的に、制御部２５３は、タグ内の消費者の名前とＩＤを確認し、消費者の名前またはニックネームに加えて歓迎挨拶などの映像などが透明ディスプレイパネルに表示されるように制御し、且つ表示駆動部２５４の駆動を制御して、カスタマイズ情報を表示するか否かを問う質疑語句、及び「はい」、「いいえ」ボタンが表示する。
【０１９６】
制御部２５３は、消費者によりタッチされたタッチ点の位置を確認し、タッチ点の位置が「はい」ボタンであるとカスタマイズ情報を表示し、「いいえ」ボタンであると、カスタマイズ情報を非表示し、質疑語句を表示してから一定時間内にタッチ点が非認識されると、当該作業を終了する。また、制御部２５３は、消費者端末機と通信を行って消費者の名前及びＩＤを獲得し、獲得された消費者の名前及びＩＤに基づいて表示駆動部２５４の駆動を制御してもよい。
【０１９７】
コード認識部は、食品に付いたバーコードまたはＱＲコードを認識し、認識されたデータを制御部２５３に伝送する。この時、制御部２５３は、コードのスキャンデータに基づいて当該食品の情報を確認し、確認された食品の情報が保存部２５６に保存されているか否か確認し、当該食品の情報が保存部２５６に保存されていないと、該食品の情報を保存部２５６に伝送することによって、食品の情報を保存部２５６に保存させる。制御部２５３は、当該食品の情報が保存部２５６に保存されていると、表示駆動部を制御して、該食品の情報をアップデートするか否かを問う質疑語句、及び「はい」、「いいえ」ボタンを表示する。
【０１９８】
制御部２５３は、管理者によりタッチされたタッチ点の位置を確認し、このタッチ点の位置が「はい」ボタンであると、保存部２５６に保存された当該食品の情報をアップデートし、「いいえ」ボタンであると、保存部２５６に保存された当該食品の情報を維持させ、質疑語句を表示してから一定時間内にタッチ点が非認識されると、保存部２５６に保存された当該食品の情報をアップデートする。
【０１９９】
このように、ショーケースに食品がさらに陳列される場合に、コード認識部を用いて追加陳列される食品に関する情報をアップデートすることで、ショーケースに陳列される食品に関する情報を落とすことなく管理することができる。
【０２００】
また、制御部２５３は、食品のスキャンデータに基づいて、当該食品に対応する広告映像が保存部２５６に保存されているか否か確認し、保存部２５６に当該食品に対する広告映像が保存されていると、該食品に対する広告映像がディスプレイされるように制御してもよい。また、制御部２５３は、食品のスキャンデータに当該食品に関する映像情報が存在するか否か判断し、スキャンデータに当該食品に関する映像情報が存在すると、この映像情報を当該食品に対する広告映像として表示することもできる。なお、制御部２５３は、人体検出信号が伝送されると、タッチパネルの発光素子アレイ及び受光素子アレイに駆動電力を供給するように制御してもよい。
【０２０１】
図１４は、さらに他の実施例に係るディスプレイシステムの例示図である。
【０２０２】
さらに他の実施例に係るディスプレイシステムは、複数個のボディーと、複数個のボディーにそれぞれ装着されたディスプレイモジュールと、を有する。ここで、複数個のディスプレイモジュール２００ａ乃至２００ｈは、複数のグループＡ、Ｂに分けられ、各グループＡ、Ｂは、複数のディスプレイモジュールからなる。
【０２０３】
ここで、Ａグループはディスプレイモジュール２００ａ乃至２００ｄ、Ｂグループはディスプレイモジュール２００ｅ乃至２００ｈからなっている。この複数個のディスプレイモジュールは、サーバー及び端末機のいずれか一方から命令を受信し、受信した命令に基づいて、グループ別にマルチディスプレイを行ってもよく、または、一部はマルチディスプレイ、残りはシングルディスプレイを行ってもよい。
【０２０４】
このように、複数のディスプレイモジュールを用いてマルチディスプレイを行うことによって一つの大型ディスプレイとすることもできる。また、複数のショーケースに装着されたディスプレイモジュールは、動画でマルチディスプレイを行ってもよい。
【０２０５】
なお、全てのディスプレイモジュールがシングルディスプレイを行ってもよい。これについてより詳しく説明する。
【０２０６】
サーバーは、入力部、制御部、表示部、保存部、通信部を有する。このサーバーはコンピュータ装置でよい。入力部を介して、複数グループのうちいずれかのグループが選択され、且つ一つのグループに含まれた複数のショーケースのうち少なくとも一つのショーケースに設けられたディスプレイモジュールが選択される。
【０２０７】
すなわち、単独ディスプレイの場合、一つのディスプレイモジュールが選択され、マルチディスプレイの場合には、マルチディスプレイのための少なくとも２つのディスプレイモジュールが選択される。
【０２０８】
入力部を介して使用者はディスプレイのための映像を選択する。また、入力部を介して使用者は、映像別にディスプレイ開始時刻、ディスプレイ終了時刻、ディスプレイ実行時間などのディスプレイの条件情報を選択する。この入力部はキーボード及びマウスのような入力装置とすればよい。
【０２０９】
制御部は、使用者から入力されたデータ及び外部から伝送されたデータのうち少なくとも一つのデータを保存し、少なくとも一つのディスプレイモジュールへの伝送に当たって、伝送するデータを信号処理し、信号処理されたデータを分配して複数のディスプレイモジュールにそれぞれ伝送する。制御部は、複数のディスプレイモジュールへのデータ伝送時に、複数のディスプレイモジュールにいずれも同じデータを伝送することによって複数のディスプレイモジュールに同じ映像が表示されるようにしてもよく、異なったデータを伝送することによって複数のディスプレイモジュールに異なった映像が表示されるようにしてもよい。
【０２１０】
また、制御部は、複数のディスプレイモジュールのうち一部のディスプレイモジュールに同じデータを伝送し、残り一部のディスプレイモジュールに異なったデータを伝送してもよい。また、制御部は、複数のディスプレイモジュールを用いてマルチディスプレイするように制御してもよい。制御部は、ショーケースの単独ディスプレイ命令が入力されると、該当のディスプレイモジュールに単独ディスプレイ命令を伝送する。この時、制御部は、使用者により選択された映像情報を該当のディスプレイモジュールに伝送する。ここで、映像情報には、ディスプレイされる映像、及びディスプレイ開始時刻、ディスプレイ終了時刻、ディスプレイ実行時間などのディスプレイ条件情報などが含まれる。
【０２１１】
制御部は、複数のショーケースに設けられたディスプレイモジュールのマルチディスプレイ命令が入力されると、複数のディスプレイモジュールにマルチディスプレイ命令を伝送する。ここで、映像情報には、分割された映像、及びディスプレイ開始時刻、ディスプレイ終了時刻、ディスプレイ実行時間などのディスプレイ条件情報などが含まれる。
【０２１２】
具体的に、制御部は、使用者により選択された映像を複数のディスプレイモジュールの数に対応して分割し、分割された映像の順序と複数のディスプレイモジュールの配置順序を考慮して、分割された映像を複数のショーケースにそれぞれ伝送する。
【０２１３】
例えば、マルチディスプレイを行うディスプレイモジュールがＡグループの２００ｂディスプレイモジュール、２００ｃディスプレイモジュールであり、「１３」という映像をマルチディスプレイする場合に、左側に配置された２００ｂディスプレイモジュールは「１」の映像をディスプレイし、右側に配置された２００ｃディスプレイモジュールは「３」の映像をディスプレイすることで、２００ｂディスプレイモジュールと２００ｃディスプレイモジュールを用いて「１３」をマルチディスプレイすることができる。
【０２１４】
表示部は、複数の領域にそれぞれ配置されたグループ別ディスプレイモジュールを表示し、グループ別ディスプレイモジュールの配置情報を表示し、ディスプレイを行うディスプレイモジュールを、ディスプレイを行わないディスプレイモジュールと区別して表示する。
【０２１５】
また、表示部は、単独またはマルチディスプレイ時にショーケースにディスプレイされる映像をシミュレーションする。保存部は、領域別ディスプレイモジュール情報と、ディスプレイモジュール別グループ情報などを保存し、且つ各種映像情報を保存する。
【０２１６】
通信部は、複数のショーケースと有無線通信を行い、制御部の命令に対応して各種情報や駆動命令をショーケースに伝送する。
【０２１７】
図１５は、マルチディスプレイの例示図であり、Ａグループに含まれた４個のディスプレイモジュール２００ａ，２００ｂ，２００ｃ，２００ｄを用いて広告映像をマルチディスプレイしている。
【０２１８】
ここで、マルチディスプレイを行うショーケースはドア開放時に映像の反転を行わない。このように、透明ディスプレイパネルが互いに隣接している複数のディスプレイモジュールを用いてマルチディスプレイを行うことで、空間の見栄えをよくすることができ、且つ消費者の視線を引いて広告効果を高めることができる。
【０２１９】
図１６は、さらに他の実施例に係るディスプレイシステムの斜視図である。
【０２２０】
さらに他の実施例に係るディスプレイシステムのボディーであるショーケースは、本体１１０、貯蔵室１２０、棚１３０、機械室１４０、冷気生成室１５０を備えている。ここで、機械室、冷気生成室以外の構成は一実施例と同一であり、その説明を省略する。
【０２２１】
本体１１０は、ショーケースの外観を形成するもので、本体１１０の内部には貯蔵室１２０が形成されており、前面には開口１１３が形成されており、後面には機械室１４０及び冷気生成室１５０が設けられている。なお、本体１１０の後面には機械室を開閉するカバー１４６が取り付けられている。ここで、機械室及び冷気生成室がいずれも本体１１０の後面に設けられており、本体１１０の前面にはより広い面積の開口１１３が形成される。
【０２２２】
ディスプレイモジュールであるドア２００は、本体１１０の前面開口１１３サイズに対応するサイズを有し、開き戸の形態で本体１１０の前面開口１１３に装着され、貯蔵室１２０を外部と遮断することによって、貯蔵室１２０中の冷気の流出を防止する。
【０２２３】
このように、ショーケースの前面全体にドア２００を形成してもよく、一実施例のように、ショーケースの前面の一部分にドアを形成してもよい。ここで、前面全体とは、本体をなす外観構造物を除外した面積のことを指す。
【０２２４】
また、透明ディスプレイパネルは、フレーム２２０の枠内の全体に装着されてもよく、枠内の一部分に装着されてもよい。図１７に示すように、透明ディスプレイパネル２１０がフレーム２２０の一部分に装着される場合には、ドア２００に設けられる透明ディスプレイパネル２１０をフレーム２２０の内縁の一部分に装着し、透明ガラスや透明プラスチックなどのような透明部材２９０を残り部分に装着することによって、透明ディスプレイパネル２１０のサイズを減らし、ショーケースの製造コストを低減すると共に、透明ディスプレイパネル２１０を用いて広告効果も維持することができる。
【０２２５】
図１８及び図１９は、さらに他の実施例に係るディスプレイシステムの斜視図であり、ディスプレイシステムは、ボディーであるショーケース、及びディスプレイモジュールであるドアを複数個備えている。
【０２２６】
さらに他の実施例に係るディスプレイシステムのボディーであるショーケースは、本体１１０、貯蔵室１２０、棚１３０、機械室１４０、冷気生成室１５０を備えている。ここで、貯蔵室、機械室、冷気生成室の内部構成は一実施例と同一であり、その説明を省略する。
【０２２７】
本体１１０は、ショーケースの外観を形成するもので、本体１１０の内部には貯蔵室１２０が形成されており、前面には開口１１３が形成されており、後面には機械室１４０及び冷気生成室１５０が設けられている。本体１１０の前面上下にはレール１１４，１１５が設けられており、本体１１０の後面には機械室１４０を開閉するカバー１４６が取り付けられている。
【０２２８】
なお、本体１１０は、ショーケースの冷凍サイクルを制御する制御ボード１１６をさらに備えている。この制御ボード１１６は、ドア２００−１，２００−２の駆動モジュール２５０内の第２の電源部の充電状態を判断し、第２の電源部の充電状態が満タンになっていると、第２の電源部の充電を停止するように制御してもよい。
【０２２９】
本体１１０には、ドア２００−１，２００−２の駆動モジュール２５０内の第２の電源部に電力を供給するための第１の充電端子２５１ａが設けられている。
【０２３０】
ディスプレイモジュールであるドア２００は２個のドアからなっており、２個のドア２００−１，２００−２は、引き戸の形態で本体１１０に設置されて貯蔵室１２０を開閉する。
【０２３１】
２個のドア２００−１，２００−２は、本体１１０の前面開口１１３においてレール１１４，１１５にそれぞれ取り付けられ、レール１１４，１１５に沿ってそれぞれ左右にスライディングする。
【０２３２】
すなわち、２個のドア２００−１，２００−２は、貯蔵室１２０を外部と遮断することによって貯蔵室１２０中の冷気の流出を防止する。このドアを２つ以上にしてもよい。各ドア２００−１，２００−２は、透明ディスプレイパネル２１０−１，２１０−２と、透明ディスプレイパネル２１０−１，２１０−２を固定するフレーム２２０−１，２２０−２と、を備える。ここで、フレーム２２０−１，２２０−２は各ドアの縁となる。
【０２３３】
各フレーム２２０−１，２２０−２内には、各構成部に駆動電力を供給し、透明ディスプレイパネルの映像表示を制御する駆動モジュール２５０が設けられている。
【０２３４】
ここで、駆動モジュール２５０に設けられた第２の電源部は充電可能な充電型の電源部であり、バッテリーを有する。このバッテリーは、本体１１０に設けられた第１の充電端子２５１ａと接して本体１１０の第１の電源部１４５から電力を受ける第２の充電端子２５１ｂを有する。
【０２３５】
すなわち、駆動モジュール２５０内の第２の電源部は、ドア閉鎖時に、本体１１０に設けられた第１の充電端子２５１ａと接触して第１の電源部１４５から電力を受けて充電しながら、第１の電源部１４５の電力をディスプレイモジュールの各構成部に必要な駆動電力に変換して各構成部に供給する。
【０２３６】
そして、駆動モジュール２５０内の第２の電源部のバッテリーは、ドア開放時に、本体１１０の第１の充電端子２５１ａから離れて充電が停止し、内部に充電された電力をディスプレイモジュールの各構成部に必要な駆動電力に変換して各構成部に供給する。
【０２３７】
また、フレーム２２０−１内のケーブルを用いて本体１１０の第１の電源部１４５から電力を受けてもよい。
【０２３８】
駆動モジュール２５０内の制御部は、第２の電源部から駆動電力を受け、保存部に保存された映像情報、または通信部を介して受信した映像情報に基づいて、透明ディスプレイパネル２１０の駆動を制御する。駆動モジュール２５０内の制御部は、透明ディスプレイパネル２１０−１，２１０−２によりマルチディスプレイまたはシングルディスプレイされるように制御することができる。なお、ディスプレイシステムはドア開閉検出部１９２，１９３をさらに備えている。２個のドアのうち、ドア２００−１を挙げて具体的に説明する。
【０２３９】
本体１１０とフレーム２２０−１はドア開閉検出部１９２，１９３をそれぞれ備えており、本体１１０の制御ボード１１６はドア開閉検出部１９２の駆動を制御する。ここで、ドア開閉検出部としては、温度センサー、赤外線センサー、超音波センサー、ホールセンサー、マイクロスイッチのいずれかを用いればよい。これに限定されず、ドア開閉検出が可能なものであれば、いずれのセンサーも使用可能である。
【０２４０】
赤外線センサーを用いてドアの開閉を検出する例を説明する。赤外線センサーは、本体１１０に設けられた発光部１９２と、ドア２００に設けられた受光部１９３を有する。この赤外線センサーは、本体の制御ボード１１６の命令に対応して発光部１９２を駆動し、発光部１９２から発された光を受光部１９３で検出して制御部２５３に伝送する。
【０２４１】
ここで、受光部１９３で検出された光量は、ドア２００開放によりドア２００と本体１１０との距離が遠くなるほど減少し、ドア２００閉鎖によりドア２００と本体１１０との距離が短くなるほど増加する。すなわち、光量に基づいてドアの開放度を予測でき、光量検出時間に基づいてドア開放時間を予測できる。
【０２４２】
駆動モジュール２５０内の制御部は、赤外線センサーの受光部１９３で検出された光量に基づいてドアの開放度を判断し、ドアの開放度が基準開放度を超えるか否か判断し、ドアの開放度が基準開放度を超えると、透明ディスプレイパネル２１０に、冷気漏れ量が多いからドアを閉じる旨の案内メッセージが表示されるように制御する。
【０２４３】
また、駆動モジュール２５０内の制御部は、光検出時間に基づいてドア開放時間をカウントし、カウントされたドア開放時間が基準時間を超えると、透明ディスプレイパネル２１０に表示される映像が変更されるように制御する。この時に変更された映像はドア閉鎖を指示する映像である。
【０２４４】
ホールセンサーを用いてドア開閉を検出する例を説明する。
【０２４５】
異なった長さの突起を本体１１０に形成し、これらの突起と対面するドアの位置にホールセンサーを取り付けることで、ドアのスライディングに従って、ホールセンサーと対面する突起が変わるようにする。すなわち、ホールセンサーは、ドアのスライディング時に対面している突起の磁場の強度を検出し、これに対応する電圧に変換して制御部２５３に伝送する。
【０２４６】
このとき、駆動モジュール２５０内の制御部は、ホールセンサーで検出された電圧に基づいてドア開放を判断し、ドア開放時間をカウントし、カウントされたドア開放時間が基準時間を超えると、透明ディスプレイパネル２１０に表示される映像が変更されるように制御する。この時に変更された映像は、ドア閉鎖を指示する映像である。
【０２４７】
また、駆動モジュール２５０内の制御部は、ホールセンサーで検出された電圧に基づいてドア開放度を予測し、ドアの開放度に対応する冷気の漏れ量を予測し、予測された冷気漏れ量が貯蔵室内の食品の新鮮度に及ぶ影響を表示してもよい。また、冷気漏れによる電力消費結果を表示してもよい。
【０２４８】
マイクロスイッチ（図示せず）を用いてドア開閉を検出する例を説明する。マイクロスイッチは、ドア閉鎖時にオンになり、ドア開放時にオフになる。
【０２４９】
すなわち、駆動モジュール２５０内の制御部は、マイクロスイッチからオフ信号が伝送されると、ドア開放と判断し、マイクロスイッチのオフ時間をカウントしてドア開放時間を予測する。駆動モジュール２５０内の制御部は、ドア開放時間と基準時間とを比較し、ドア開放時間が基準時間を超えると、ドア閉鎖を指示する映像が出力されるように制御する。
【０２５０】
図２０乃至図３４は、他の実施例に係るディスプレイモジュールの例示図である。
【０２５１】
ここで、ディスプレイモジュールは、室内外の構造物に設置され、室内外の環境を見栄え良く飾りながら人に種々の情報を提供する装置で、テレビジョン、バスシェルター、案内駆動モジュール、ショーウィンドウ、窓、壁飾り（ｍｕｒａｌ  ｄｅｃｏｒａｔｉｏｎ）、床マットなどに適用可能である。
【０２５２】
図２０は、さらに他の実施例に係るディスプレイモジュールのうち、テレビジョンの正面斜視図であり、図２１は、その背面斜視図であり、図２２は、その制御構成図である。
【０２５３】
テレビジョン３００は、家庭や公共場所に据え付けられ、放送局から送られるアナログの放送信号を受信し、該放送信号をデジタル信号に変換して映像及びサウンドで再生する映像機器のことを指す。ここで、テレビジョンは、壁掛けタイプ、天井吊りタイプ、スタンドタイプなどにすればよい。テレビジョンは両方向通信が可能である。このようなテレビジョン３００は、インターネットを介してコンテンツサーバー（図示せず）にコンテンツを要請し、コンテンツサーバーから該当のコンテンツを受信し、受信したコンテンツを再生することによって種々のインターネットサービスを提供する。
【０２５４】
すなわち、テレビジョンは、ＡＯＤ（Ａｕｄｉｏ  Ｏｎ  Ｄｅｍａｎｄ）、ＶＯＤ（Ｖｉｄｅｏ  Ｏｎ  Ｄｅｍａｎｄ）、マルチキャスト（Ｍｕｌｔｉｃａｓｔ）、ローカル音楽ファイル再生（Ｌｏｃａｌ  Ｍｕｓｉｃ  Ｆｉｌｅ  Ｐｌａｙ）及びリモコンを用いたインターネット検索（Ｂｒｏｗｓｉｎｇ）、ホームショッピング、ホームバンキング、オンラインゲームなど、インターネットが提供する種々のコンテンツ及び付加サービスを提供し、また、一般公衆波放送やケーブル放送または衛星放送と違い、ユーザー所望の時間に所望の放送を提供する。
【０２５５】
また、テレビジョンジョンは、インターネットを介してテレビ通話に用いることもでき、放送やインターネットを使用しない時には、額縁やスケジュールディスプレイとして用いることもできる。
【０２５６】
図２０及び図２１に示すように、ディスプレイモジュールであるテレビジョン３００は、透明ディスプレイパネル３１０、フレーム３２０、遮断部材３３０、支持部材３４０、固定部材３５０を有する。本実施例は、スタンドタイプのテレビジョンを挙げて説明する。透明ディスプレイパネル３１０は、駆動モジュール３６０内の制御部の命令に対応して放送映像、コンテンツ映像、通話映像、写真映像のうち少なくとも一つの映像を表示する。
【０２５７】
このような透明ディスプレイパネル３１０は、ＬＣＤ（Ｌｉｑｕｉｄ  Ｃｒｙｓｔａｌ  Ｄｉｓｐｌａｙ）及びＯＬＥＤ（Ｏｒｇａｎｉｃ  Ｌｉｇｈｔ  Ｅｍｉｔｔｉｎｇ  Ｄｉｏｄｅｓ）のいずれかにすればよく、ここでは、ＬＣＤを挙げて説明する。
【０２５８】
透明ディスプレイパネル３１０は、光源、第１の偏光板、導光板、液晶パネル、第２の偏光板を有する。ここで、透明ディスプレイパネルを構成する光源、第１の偏光板、導光板、液晶パネル、第２の偏光板の配置構成、透明度調節構成、映像表示構成は、図４と同一であるため説明を省略する。ここで、透明ディスプレイパネルは、透明タッチディスプレイパネルにしてもよい。透明タッチディスプレイパネルは、光源、第１の偏光板、導光板、液晶パネル、第２の偏光板、タッチパネル、発光素子アレイ、受光素子アレイを有する。ここで、透明ディスプレイパネルを構成する光源、第１の偏光板、導光板、液晶パネル、第２の偏光板、タッチパネル、発光素子アレイ、受光素子アレイの配置構成、透明度調節構成、映像表示構成は図１２と同一であり、その説明を省略する。
【０２５９】
なお、透明タッチディスプレイパネル３１０の両面に第１のシートと第２のシートが配置されてもよい。第１のシートは、透明タッチディスプレイパネル３１０の両面のうち背面に配置された断熱シートである。第２のシートは、透明タッチディスプレイパネル３１０の両面のうち、前面に配置された無反射コーティングフィルムであり、光反射を防止する。
【０２６０】
フレーム３２０は、透明ディスプレイパネル３１０の一側面を固定及び支持する。すなわち、フレーム３２０には透明ディスプレイパネル３１０が嵌め付けられる。そのため、ディスプレイモジュールの透明ディスプレイパネル３１０の厚さＤ３はフレーム３２０の厚さＤ４よりも薄くなっている。そして、透明ディスプレイパネル３１０の表面積Ａ３はフレーム２２０の表面積Ａ４よりも広くなっている。
【０２６１】
このようなフレーム３２０には、手動で電源をオン／オフするための電源ボタン３２１、リモコンの信号を受信するための信号検出部３２２、映像通話のためのカメラ３２３及びマイクロホン３２４、透明ディスプレイパネルの透明度を調節するための透明度調節ボタン３２５、及びサウンドを出力するスピーカー３２６が設けられている。また、フレーム３２０には、各構成部に電力を供給して透明ディスプレイパネル３１０の駆動を制御する駆動モジュール３６０がさらに設けられている。
【０２６２】
遮断部材３３０は、透明ディスプレイパネル３１０の縁に設けられて、透明ディスプレイパネル３１０を構成する第１の偏光板、導光板、液晶パネル、第２の偏光板を一体に固定し、透明ディスプレイパネル３１０内の光が外部に分散することを防止する。
【０２６３】
支持部材３４０は、下面がテーブルに接し、側面がフレーム３２０の背面に接してボディーを支持する。このような支持部材３４０はフレーム３２０と一体に形成してもよい。
【０２６４】
図２１に示すように、支持部材３４０は、フレーム３２０と透明ディスプレイパネル３１０を一定角度で支持する。ここで、一定角度は、使用者が透明ディスプレイパネルの映像を見る時、透明ディスプレイパネル３１０の映像の画質が最上となる角度である。なお、支持部材３４０は、フレーム３２０と透明ディスプレイパネル３１０の支持角度を調節する角度調節部を備えていてもよい。支持部材３４０は端子部３４１を有する。この端子部３４１は種々のコンポーネント端子及びデジタル端子を有し、各端子は片方に集まっており、製品のデザインを害することを極力防止しながら、種々の機器と接続して使用できるようになっている。固定部材３５０はボディー１１０の背面に設けられて支持部材３４０を固定する。
【０２６５】
図２２は、テレビジョンの制御構成図であり、第２の電源部３６１、信号検出部３６２、入力部３６３、制御部３６４、保存部３６５、表示駆動部３６６、サウンド駆動部３６７、通信部３６８を有する。ここで、各構成部は一つの駆動モジュール３６０に備えるとよい。
【０２６６】
第２の電源部３６１は、セットトップボックスや商用電源に接続されるケーブルに介装されたアダプターなどのような第１の電源部から電力を供給され、この電力を各構成部の駆動に必要な駆動電力に変換して各構成部に供給する。なお、第２の電源部３６１は、商用電源に接続して商用電源を直接供給され、該商用電源を各構成部の駆動に必要な駆動電力に変換して各構成部に供給してもよい。
【０２６７】
信号検出部３６２は、リモコンから伝送された信号を検出して制御部３６４に伝送する。ここで、リモコンから伝送された信号としては、放送チャンネル信号、音量調節信号、モード選択信号、インターネット接続、テレビ通話及びスケジュール入力のための文字信号、額縁として用いる時に額縁デザイン選択信号、コンテンツ選択信号などを含む。
【０２６８】
入力部３６３は、映像入力部及びサウンド入力部のうち少なくとも一つの入力部を備える。
【０２６９】
映像入力部は、カメラにより撮像された映像信号を受信すると、該受信した映像信号を信号処理して制御部３６４に伝送し、サウンド入力部は、マイクロフォンにより集音されたサウンド信号を制御部３６４に伝送する。制御部３６４は、電源ボタン３２１から電源オフ信号が入力されると、表示駆動部の駆動を停止させることで透明ディスプレイパネルを透明状態にさせる。
【０２７０】
制御部３６４は、透明度調節ボタン３２５から透明度選択信号が入力されると、表示駆動部の駆動を停止させることで、透明ディスプレイパネルの透明度が調節されるようにする。制御部３６４は、信号検出部３６２から伝送されたいずれか一つのモード選択信号に対応してカメラ３２３、マイクロホン３２４、スピーカー３２６、透明ディスプレイパネル３１０のうち少なくとも一つの駆動を制御する。
【０２７１】
ここで、モードは、放送モード、インターネットモード、テレビ通話モード、額縁モード、スケジュールモード、暦モードを有する。これについてより詳しく説明する。
【０２７２】
制御部３６４は、信号検出部３６２から放送モード選択信号が伝送されると、通信部３６８の駆動を制御して放送信号を受信し、表示駆動部３６６、サウンド駆動部３６７の駆動を制御することによって、透明ディスプレイパネルから映像を出力し、スピーカーからサウンドを出力する。制御部３６４は、信号検出部３６２からインターネットモード選択信号が伝送されると、通信部３６８の駆動を制御してインターネットに接続するようにし、インターネットが接続すると、表示駆動部３６６の駆動を制御して、透明ディスプレイパネル３１０にインターネット映像を表示し、信号検出部３６２から伝送された文字信号に基づいて文字に対応するサイトに接続する。
【０２７３】
制御部３６４は、表示駆動部３６６を制御して、接続されたサイトに対応する映像を透明ディスプレイパネルにディスプレイし、且つサウンド駆動部３６７の駆動を制御して、スピーカーからサウンドを出力する。制御部３６４は、信号検出部３６２からテレビ通話モード選択信号が伝送されると、通信部３６８の駆動を制御してインターネットに接続し、信号検出部３６２から伝送された信号に基づいてテレビ通話対象者の端末機と通信接続するように制御し、カメラとマイクロフォンの駆動を制御して使用者の映像及び使用者の音声を獲得する。
【０２７４】
制御部３６４は、テレビ通話モード時にカメラ３２３とマイクロホン３２４から使用者の映像及び音声信号が入力されると、通信部３６８の駆動を制御して、使用者の映像信号及び音声信号をインターネットを介して伝送することで相手の端末機に出力し、相手の映像信号及び音声信号が伝送されると、表示駆動部３６６を制御して相手の映像を透明ディスプレイパネルにディスプレイし、サウンド駆動部３６７の駆動を制御して相手の音声をスピーカーから出力する。
【０２７５】
なお、制御部３６４は、相手の映像ディスプレイ時に、表示駆動部３６６を制御して使用者の映像を透明ディスプレイパネル３１０にディスプレイしてもよい。すなわち、テレビ通話時に、透明ディスプレイパネル３１０に使用者と相手の映像が共にディスプレイされてもよい。制御部３６４は、信号検出部３６２から額縁モード選択信号が伝送されると、透明ディスプレイパネル３１０の表示モードを額縁モードに切り替え、信号検出部３６２から額縁デザイン選択信号と写真選択信号が伝送されると、該額縁デザインと写真を表示することによって、テレビジョンを装飾品に用いてもよい。
【０２７６】
なお、額縁デザイン選択時に、リモコンの方向キー信号に対応して、保存部３６５に保存された順に額縁デザインをディスプレイし、リモコンの確認キー信号に対応していずれか一つの額縁デザインを選択してもよく、保存部３６５に保存された額縁デザインを全て出力した後、リモコンの方向キー信号に対応していずれか一つを選択してもよい。写真選択時にも額縁デザイン選択時と同じ方法を用いる。
【０２７７】
制御部３６４は、信号検出部３６２からスケジュールモード選択信号が伝送されると、透明ディスプレイパネル３１０の表示モードをスケジュールモードに切り替え、表示駆動部３６６の駆動を制御して、保存部３６５に保存されたスケジュールを透明ディスプレイパネル３１０に表示する。制御部３６４は、スケジュールモード時に、信号検出部３６２からスケジュール情報が入力されると、保存部３６５の駆動を制御して、入力されたスケジュール情報を保存部３６５に保存する。制御部３６５は、サウンド駆動部３６７の駆動を制御して、スケジュール情報をサウンドとして出力してもよい。このとき、スケジュール時間よりも一定時間の前にサウンドが出力されるようにする。制御部３６４は、信号検出部３６２から暦モード選択信号が伝送されると、今月の暦が出力されるようにする。このとき、暦デザインを選択してもよく、使用者の選択によって一年分の暦が表示されてもよく、今月の暦と翌月の暦が併せて表示されてもよい。
【０２７８】
保存部３６５は、暦情報、暦デザイン情報、額縁デザイン情報、写真情報、電話番号情報、スケジュール情報を保存する。
【０２７９】
表示駆動部３６６は、制御部３６４の命令に対応して透明ディスプレイパネル３１０の液晶セルを駆動させることで透明ディスプレイパネル３１０に映像を表示する。表示駆動部３６６は、制御部３６４の命令に対応して透明ディスプレイパネル３１０の液晶セルを駆動させることで透明ディスプレイパネル３１０の透明度を調節する。
【０２８０】
サウンド駆動部３６７は、制御部３６４の命令に応じてサウンドをスピーカーから出力する。通信部３６８は、放送モード時に公衆波またはケーブルに接続して放送信号を受信し、インターネットモード時にインターネットに接続してインターネットと両方向通信を行う。通信部３６８は、使用者端末機と通信して使用者端末機から写真などの映像を受信してもよい。
【０２８１】
図２３に示すように、通信部３６８は、放送データを受信する放送信号受信部３６８ａ、無線通信を用いてデータを送受信する無線通信部３６８ｂ、有線通信を用いてデータを送受信する有線通信部３６８ｃを有し、各通信部３６８ａ，３６８ｂ，３６８ｃは各データを制御部３６４の第１の信号処理部３６４ａに伝送する。制御部３６４は、第１の信号処理部３６４ａ、第２の信号処理部３６４ｂ、表示制御部３６４ｃを有する。
【０２８２】
第１の信号処理部３６４ａは、通信部３６４から伝送された各データを信号処理し、第２の信号処理部３６４ｂは、保存部３６５から伝送されたデータを信号処理し、表示制御部３６４ｃは、信号処理されたデータに対応する駆動命令を生成して表示駆動部に出力する。
【０２８３】
ここで、第１の信号処理部３６４ａは、放送データを信号処理する信号処理部、無線データを信号処理する信号処理部、有線データを信号処理する信号処理部をそれぞれ有することができる。
【０２８４】
テレビジョン３００に透明タッチディスプレイパネルが設けられた場合に、駆動モジュール３６０はタッチ駆動部３６９をさらに備える。ここで、タッチ駆動部３６９は、光駆動部、位置検出部を有する。
【０２８５】
透明タッチディスプレイパネルは、使用者から命令が入力されるタッチパネルと、使用者に映像を提供するディスプレイパネルとが組み合わせられたもので、入力手段としてリモコンに加えて、タッチパネルをさらに有する構成といえる。タッチパネルは、リモコンと同様に、複数のモードボタン、キー表示ボタン、文字キー、特殊文字キーなどの位置信号が入力される。
【０２８６】
タッチ駆動部３６９は、タッチパネルにタッチされたタッチ点の位置を獲得するために発光素子アレイ及び受光素子アレイを駆動させる。
【０２８７】
光駆動部は、制御部３６４の命令に対応して発光素子アレイを発光させる。位置検出部は、光検出信号を伝送した受光素子を１と認識し、光非検出信号を伝送した受光素子を０と認識し、０と認識された受光素子の位置を確認してタッチ点の位置を検出し、検出されたタッチ点の位置を制御部３６４に伝送する。制御部３６４は、位置検出部から検出されたタッチ点の位置に基づいて表示駆動部３６６の駆動を制御する。
【０２８８】
具体的に、制御部３６４は、タッチ点の位置情報が伝送されると、現在表示されている映像情報を確認し、確認された映像に含まれたキーのうち、タッチ点の位置に存在するキーを確認し、確認されたキーに対応する映像が表示され、確認されたキーに対応する機能が実行されるように制御する。
【０２８９】
例えば、制御部３６４は、透明タッチディスプレイパネル３１０に放送モードボタン、インターネットモードボタン、テレビ通話ボタン、額縁モードボタン、スケジュールモードボタン、暦モードボタンが表示された状態で、タッチ点の位置が放送モードボタンの位置と同一であると、放送モードを制御する。
【０２９０】
制御部３６４は、実行モードにかかわらず、任意の領域がタッチされると、複数のモードボタンが表示されるように制御する。制御部３６４は、使用者によりキー表示ボタンがタッチされると、現在モードを判断し、現在モードが放送モードまたは暦モードであると、数字キー、上下左右方向キーが表示されるように制御し、現在モードがインターネットモード、テレビ通話モードまたはスケジュールモードであると、英語キー、韓国語キー、数字キー、特殊文字キーなどのキーが表示されるように制御する。
【０２９１】
保存部３６５は、複数のモードボタンの位置情報、キー表示ボタンの位置情報、モード別文字キーの位置情報、モード別特殊文字キーの位置情報、モード別上下左右キーの位置情報を保存する。保存部３６５は、受光素子アレイの複数の受光素子の位置を保存する。
【０２９２】
図２４は、さらに他の実施例に係るディスプレイモジュールのうち、バスシェルターの例示図である。バスシェルター（Ｓｈｅｌｔｅｒ）はバス停に設置され、バス利用者が雨や雪を避けられる場所を提供する。バスシェルターは、そのバス停に停車するバスに関する情報、広告映像、周辺地図情報などを提供する。このようなバスシェルター４００は、複数の支持棒４１０，４２０，４３０、カバー部材４４０、複数のディスプレイモジュール４５０，４６０，４７０を備えている。
【０２９３】
複数のディスプレイモジュールは、透明ディスプレイパネル４５１，４６１，４７１と、各透明ディスプレイパネルを固定する複数のフレーム４５２，４６２，４７２と、を備えている。
【０２９４】
第１の支持棒４１０は、第１のディスプレイモジュール４５０と第２のディスプレイモジュール４６０を固定及び支持し、第２の支持棒４２０は、第１のディスプレイモジュール４５０と第３のディスプレイモジュール４７０を固定及び支持し、第３の支持棒４３０は、第１の支持棒４１０と第２の支持棒４２０とを固定すると共に、カバー部材４４０を固定及び支持する。
【０２９５】
ここで、カバー部材４４０は、第３の支持棒４３０に固定されて、複数のディスプレイモジュール４５０，４６０，４７０に雨や雪が当たることを最小化する。複数のディスプレイモジュール４５０，４６０，４７０は、透明ディスプレイパネルの駆動を制御する駆動モジュールをそれぞれ有する。第１、２、３のディスプレイモジュール４５０，４６０，４７０の一側面にのみフレームを設置し、残りの側面は遮断部材をそれぞれ設置してもよい。ここで、各遮断部材は、透明ディスプレイパネルを構成する第１の偏光板、導光板、液晶パネル、第２の偏光板を一体に固定し、透明ディスプレイパネル内の光が外部に分散することを防止する。
【０２９６】
ここで、第１、２、３のディスプレイモジュール４５０，４６０，４７０の透明ディスプレイパネルをタッチ透明ディスプレイパネルにしてもよく、第１、２、３の透明ディスプレイパネル４５１，４６１，４７１のいずれか一つの透明ディスプレイパネルのみをタッチ透明ディスプレイパネルにしてもよい。
【０２９７】
図２５は、さらに他の実施例に係るバスシェルターに設けられた複数のディスプレイモジュールの駆動を制御するための制御構成図であり、図２６及び図２７を参照して説明する。
【０２９８】
駆動モジュール４８０は、電源部４８１、タッチ駆動部４８２、制御部４８３、保存部４８４、表示駆動部４８５、サウンド駆動部４８６、通信部４８７を有する。ここでは、第１の透明ディスプレイパネルのみを透明タッチディスプレイパネルにした例を挙げて説明する。
【０２９９】
電源部４８１は、商用電源に接続するケーブルに介装されたアダプターなどから電力を供給され、該電力を各構成部の駆動に必要な駆動電力に変換して各構成部に供給する。また、電源部４８１は、商用電源に接続して商用電源を直接供給され、該商用電源を各構成部の駆動に必要な駆動電力に変換して各構成部に供給してもよい。
【０３００】
タッチ駆動部４８２の光駆動部は、第１の透明タッチディスプレイパネルのタッチパネルに設けられた発光素子アレイを発光させる。タッチ駆動部４８２の位置検出部は、光検出信号を伝送した受光素子を１と認識し、光非検出信号を伝送した受光素子を０と認識し、０と認識された受光素子の位置を確認してタッチ点の位置を検出し、検出されたタッチ点の位置を制御部４８３に伝送する。
【０３０１】
制御部４８３は、位置検出部で検出されたタッチ点の位置に基づいて表示駆動部４８５の駆動を制御する。具体的に、制御部４８３は、タッチ点の位置情報が伝送されると、現在表示されている映像情報を確認し、確認された映像に含まれたボタンのうち、タッチ点の位置に存在するボタンを確認し、確認されたボタンに対応する映像が表示され、確認されたボタンに対応する機能が実行されるように制御する。
【０３０２】
ここで、ボタンとしては、広告モードボタンＢ１、バスモードボタンＢ２、自然モードボタンＢ３などがあり、これらのボタンＢ１，Ｂ２，Ｂ３は、第１の透明ディスプレイパネル４５１に表示される映像に存在する。このようなボタンは、バス利用者により選択されるもので、タッチパネルを有する第１の透明ディスプレイパネルでのみディスプレイされる。
【０３０３】
より具体的に、制御部４８３は、タッチ点の位置が広告モードボタンＢ１の位置と同一であると、第１、２、３の表示駆動部４８５ａ，４８５ｂ，４８５ｃの駆動を制御して、第１、２、３の透明ディスプレイパネル４５１，４６１，４７１に広告映像を表示する。この時、第１、２、３の透明ディスプレイパネル４５１，４６１，４７１に表示される映像は、マルチディスプレイで表示してもよく、さらに、マルチディスプレイ時に動画で表示してもよい。また、第１、２、３の透明ディスプレイパネル４５１，４６１，４７１に表示される映像をシングルディスプレイで表示してもよい。この時、第１の透明ディスプレイパネル４５１は広告の主要映像をディスプレイし、第２及び第３の透明ディスプレイパネル４６１，４７１は、広告の付加的な映像をディスプレイする。
【０３０４】
制御部４８３は、広告モードを行い際、追加情報ボタンが表示されるように制御し、この時、使用者により追加情報ボタンがタッチされると、広告対象物の売り場、売り場の略図情報、広告対象物の価格情報、イベント情報、割引クーポン映像などが表示されるように制御する。
【０３０５】
図２６は、バスシェルターの活用例示図であり、第２の透明ディスプレイパネル４６２に広告対象物の割引クーポン映像４６３が表示された場合に、バス利用者は携帯している端末機を用いて割引クーポンの映像を獲得及び保存し、当該端末機に保存されたクーポンを販売員に提示すると、該当の品目の割引を受けることができる。この時、第３の透明ディスプレイパネル４７１に表示された売り場の略図情報に基づいて売り場を訪問してもよい。
【０３０６】
制御部４８３は、タッチ点の位置がバスモードボタンＢ２の位置と同一であると、第１、２、３の表示駆動部４８５ａ，４８５ｂ，４８５ｃの駆動を制御して、第１、２、３の透明ディスプレイパネル４５１，４６１，４７１にバス情報映像を表示する。ここで、バス情報としては、当該バス停に停車するバス番号、バス番号別路線情報、到着するバス情報、バス待機時間情報などを含む。
【０３０７】
制御部４８３は、バスモード時に、文字キー、数字キーが表示されるように制御し、使用者によりタッチされたタッチ点の位置と対応する文字を確認し、確認された文字に基づいてバス情報が表示されるように制御する。例えば、到着地欄に入力された到着地に停車するバス番号を表示し、バス番号欄に入力された番号に対応するバスの路線を表示する。この時、当該バス停を中心に周辺地図を併せて表示してもよい。
【０３０８】
図２７に示すように、制御部４８３は、バスモード時に表示される情報が比較的少ないと、第２及び第３のディスプレイモジュール４６０，４７０の少なくとも一方の透明ディスプレイパネルの駆動をオフするように制御してもよい。この時、駆動のオフされた透明ディスプレイパネルは透明状態を維持する。
【０３０９】
制御部４８３は、タッチ点の位置が自然モードボタンＢ３の位置と同一であると、第１、２、３の表示駆動部４８５ａ，４８５ｂ、４８５ｃの駆動を制御して、第１、２、３の透明ディスプレイパネル４５１，４６１，４７１に自然の映像を表示する。この時、第１、２、３の透明ディスプレイパネル４５１，４６１，４７１に表示される自然の映像は、マルチディスプレイで表示されてもよく、さらに、マルチディスプレイ時に動画で表示されてもよい。
【０３１０】
ここで、自然の映像としては、海中の映像、林の映像、四季の映像、文化財の映像、当該バス停が位置している地域の特産物の映像及び観光地の映像などが挙げられる。制御部４８３は、自然モード時に、バス利用者が所望の映像を選択できるように、第１の表示駆動部４８５ａの駆動を制御して映像選択ボタンを表示する。
【０３１１】
保存部４８４は、広告映像情報、広告対象物売り場情報、略図情報、割引クーポン情報、バス番号情報、バス番号別路線情報、文化財映像、当該バス停が位置している地域の特産物映像及び観光地映像などを保存する。保存部４８４は、文化財説明サウンド情報、観光地説明サウンド情報、特産物説明サウンド情報などをさらに保存してもよい。
【０３１２】
表示駆動部４８５は、第１の透明ディスプレイパネル４５１を駆動させる第１の表示駆動部４８５ａ、第２の透明ディスプレイパネル４６１を駆動させる第２の表示駆動部４８５ｂ、及び第３の透明ディスプレイパネル４７１を駆動させる第３の表示駆動部４８５ｃを有し、各表示駆動部４８５ａ，４８５ｂ，４８５ｃは、制御部４８３の命令に対応して各透明ディスプレイパネルに映像が表示されるようにする。
【０３１３】
サウンド駆動部４８６は、制御部４８３の命令に対応してバスモード時に到着するバスの番号がサウンドで出力されるようにし、広告モード時に広告サウンド、自然モード時に表示される映像に対応する説明サウンドが出力されるようにする。
【０３１４】
通信部４８７は、バス到着お知らせサーバー（図示せず）と通信を行い、到着するバスの情報、バス別待機時間の情報を受信する。通信部４８７は、端末機と有無線通信を行い、保存部４８４に保存された映像情報、バス情報をアップデートするためのアップデート情報を受信する。
【０３１５】
図２８Ａ及び図２８Ｂは、さらに他の実施例に係るディスプレイモジュールのうち、案内板の例示図であり、図２９は、案内板の活用例示図である。
【０３１６】
案内板５００は、観光地、博物館、スーパー、ホテルなどに設置されて、お手洗の位置、注意事項、エレベーターの位置、案内図、挨拶語句などを表示する。このような案内板５００は、支持棒５１０，５２０、受け台５３０、第１、２、３のディスプレイモジュール５４０，５５０，５６０を有する。
【０３１７】
支持棒５１０，５２０は、棒状になっており、複数のディスプレイモジュール５４０，５５０，５６０が挿着される。ここで、支持棒５１０，５２０には第１の透明ディスプレイモジュールが固定され、また第２及び第３の透明ディスプレイモジュール５５０，５６０に駆動信号を伝送するためのケーブルが配置される。
【０３１８】
なお、支持棒５１０，５２０は、透明ディスプレイパネルの高さを調節し、調節された位置に透明ディスプレイパネルを止着させる止着部（図示せず）をさらに備えてもよい。
【０３１９】
支え台５３０は、各支持棒５１０，５２０の上下に設けられて、床や天井に支持棒が安全に固定されるようにする。
【０３２０】
第１、２、３のディスプレイモジュール５４０，５５０，５６０は、積層状に配置されている。第１、２、３のディスプレイモジュールのうち、最下段に配置されている第１のディスプレイモジュール５４０の第１の透明ディスプレイパネル５４１の下端には第１のフレーム５４２が設けられ、上端には遮断部材５４５が設けられており、残りの第２及び第３の透明ディスプレイパネル５５１，５６１の上端及び下端には遮断部材５５４，５５５，５６４，５６５がそれぞれ設けられている。
【０３２１】
ここで、遮断部材５５４，５５５，５６４，５６５は、透明ディスプレイパネルを構成する第１の偏光板、導光板、液晶パネル、第２の偏光板を一体に固定し、透明ディスプレイパネル内の光が外部に分散することを防止する。
【０３２２】
第１，２、３のディスプレイモジュール５４０，５５０，５６０は、透明ディスプレイパネルの駆動を制御するための駆動モジュールをそれぞれ有し、各駆動モジュールは通信を行う。
【０３２３】
なお、第１のフレーム５４２に第１、２、３のディスプレイモジュール５４０，５５０，５６０の駆動を制御する駆動モジュール５７０を配置してもよい。この場合、第１のフレーム５４２内の駆動モジュール５７０から第２及び第３のディスプレイモジュール５５０，５６０への駆動信号伝送時に、第１及び第２の支持棒５１０，５２０内に設けられたケーブルを通して伝送すればよい。
【０３２４】
そして、第１のフレーム５４２には、第１の透明ディスプレイモジュール５４１が挿着され、側面フレーム５４３，５４４，５５２，５５３，５６２，５６３には第１、２、３の透明ディスプレイパネル５４１，５５１，５６１が挟み付けられる。すなわち、第１の透明ディスプレイパネル５４１の下端は第１のフレーム５４２により固定され、第１、２、３の透明ディスプレイパネル５４１，５５１，５６１の両側端は側面フレーム５４３，５４４，５５２，５５３，５６２，５６３により固定される。
【０３２５】
そのため、ディスプレイモジュールの第１、２、３の透明ディスプレイパネル５４１，５５１，５６１の厚さは、各フレーム５４２，５４３，５４４，５５２，５５３，５６２，５６３の厚さよりも薄くなっているそして、第１透明ディスプレイパネル５４１の表面積は、フレーム５４２，５４３，５４４の表面積よりも広く、第２の透明ディスプレイパネル５５１の表面積は、フレーム５５２，５５３よりも広く、第３の透明ディスプレイパネル５６１の表面積は、フレーム５６２，５６３の表面積よりも広くなっている。ここで、第１のフレーム５４２と側面フレーム５４３，５４４は一体型にしてもよい。
【０３２６】
第１、２、３の透明ディスプレイパネル５４１，５５１，５６１は、駆動モジュール５７０内の制御部の命令に対応してマルチディスプレイを行う。
【０３２７】
側面フレーム５４３，５４４，５５２，５５３，５６２，５６３の内部には孔が開けられており、この孔中に支持棒５１０，５２０が挿入される。これにより、第１、２、３のディスプレイモジュール５４０，５５０，５６０は支持棒５１０，５２０に沿って移動可能になる。
【０３２８】
図２８Ｂに示すように、第１、２、３のディスプレイモジュール５４０，５５０，５６０は分離及び移動可能であり、分離時にシングルディスプレイを行う。
【０３２９】
図２９に示すように、第１、２、３のディスプレイモジュール５４０，５５０，５６０の第１、２、３の透明ディスプレイパネル５４１，５５１，５６１は、お手洗の位置、注意事項、エレベーターの位置、案内図、挨拶語句、オープン時間、閉鎖時間のうち少なくとも一つの映像を表示する。例えば、第１、２、３の透明ディスプレイパネル５４１、５５１、５６１のいずれか一つの透明ディスプレイパネルは、駆動モジュール５７０の命令に対応して、閉鎖時間から一定時間の前に閉鎖時間を表示してもよい。
【０３３０】
案内板５００の駆動モジュール５７０は、端末機と有無線通信を行うことによって、第１、２、３の透明ディスプレイパネルに表示される映像をアップデートする。案内板５００は必要な情報のみを映像で表示することによって、案内板５００の後方に存在する人や事物を容易に見ることができ、観光地では案内駆動モジュールの設置による景観の妨害を減らすことができる。
【０３３１】
図３０は、さらに他の実施例に係るディスプレイモジュールの制御構成図であり、複数のディスプレイモジュールのうち、第１のディスプレイモジュール５４０の制御構成を挙げて説明する。第１のディスプレイモジュール５４０を制御するための駆動モジュール５７０は、第２の電源部５７１、通信部５７２、制御部５７３、表示駆動部５７４を有する。
【０３３２】
ここで、第２の電源部５７１、通信部５７２、制御部５７３、表示駆動部５７４は、第１のディスプレイモジュール５４０のフレーム５４２に配置された駆動モジュール５７０に備えられている。
【０３３３】
第２の電源部５７１は、外部の第１の電源部から電力が供給され、該電力を通信部の駆動電力、制御部の駆動電力及び表示駆動部の駆動電力にそれぞれ変換し、変換された電力を通信部５７２、制御部５７３、表示駆動部５７４に供給する。
【０３３４】
通信部５７２は、サーバー及び端末機のいずれか一方から伝送されたデータを受信し、受信したデータを制御部５７３に伝送する。この通信部５７２は、有線通信及び無線通信のうち少なくとも一つの通信を行う。
【０３３５】
なお、サーバーは通信部５７２と有線通信及び無線通信のうち少なくとも一つの通信を行い、端末機は通信部５７２とＷｉＦｉ、ブルートゥースのような無線通信を行う。また、端末機は管理者端末機であって、透明ディスプレイパネル５４０の駆動を直接制御してもよい。
【０３３６】
通信部５７２は、第２及び第３のディスプレイモジュールと無線通信を行い、マルチディスプレイを行ってもよい。制御部５７３は、受信されたデータを信号処理し、信号処理されたデータに対応する駆動命令を表示駆動部５７４に出力する。この時、制御部５７３は、あらかじめ設定されたフォーマットでデータを受信し、受信したフォーマットをデコーディングする。
【０３３７】
表示駆動部５７４は、透明ディスプレイパネルにデータが表示されるように制御部の命令に対応して駆動する。表示駆動部５７４は、制御部５７３の命令に対応して液晶パネルの液晶セルを駆動させることによって、第１の透明ディスプレイパネル５４１に映像が表示されるようにし、透明度が調節されるようにする。
【０３３８】
ディスプレイモジュールは、データを保存する保存部と、通信部に受信されたデータまたは保存部に保存されたデータのいずれか一つを選択するための入力部をさらに備えてもよい。このとき、制御部は、入力部を介して選択されたデータを確認し、確認されたデータを信号処理した後、信号処理されたデータに対応する駆動命令を表示駆動部２５４に伝送する。
【０３３９】
保存部に複数のデータが保存されている場合に、制御部５７３は、複数のデータのうちいずれか一つのデータが表示されるように制御してもよく、複数のデータを一定の時間間隔で順次に表示されるように制御してもよい。ここで、保存部に保存されたデータは、サーバー及び端末機のうち少なくとも一方から受信して保存したもので、この時、データは圧縮ファイルの形態で保存されるとよい。
【０３４０】
駆動モジュール５７０は、使用者の持っているタグを読み取る読取り部を有し、読取り部で読み取ったタグのデータに基づいて消費者の名前及びＩＤを確認し、消費者の情報が表示されるように表示駆動部５７４の駆動を制御する。具体的に、駆動モジュール５７０は、タグ内の消費者の名前とＩＤを確認し、消費者の名前またはニックネームと共に歓迎の挨拶や歓送の挨拶などの映像などが透明ディスプレイパネルに表示されるように制御する。
【０３４１】
例えば、案内板５００がデパートやスーパーなどのショッピングセンターの出入口に設置された場合に、入門者のタグを読み取り、案内駆動モジュールに入門者の名前と共に「ようこそ」という挨拶を表示し、出門者のタグを読み取り、出門者の名前と共に「お気をつけてお帰りくださいませ」という挨拶を表示する。この時、駆動モジュールは、管理用端末機との通信を行って、計算完了した顧客を出門者と判断してもよい。
【０３４２】
図３１は、さらに他の実施例に係るディスプレイモジュールのうち、ショーウィンドウの例示図である。
【０３４３】
ショーウィンドウ６００は、飲食店、ファーストフード店、衣類販売店、デパート、カフェなどに設置され、売り出し商品や人気商品の映像をディスプレイすることで、通り過ぎる人々の視線を引き、売り場内に顧客を呼び込む。このようなショーウィンドウ６００は壁面やガラス窓に設置されるもので、複数のディスプレイモジュール６１０、６２０、６３０を備える。
【０３４４】
第１のディスプレイモジュール６１０は、第１の透明ディスプレイパネル６１１、第１のフレーム６１２及び遮断部材６１３を備え、第２のディスプレイモジュール６２０は、第２の透明ディスプレイパネル６２１、第２のフレーム６２２、遮断部材６２３、６２４を備え、第３のディスプレイモジュールは、第３の透明ディスプレイパネル６３１、第３のフレーム６３２、遮断部材６３３を備えている。
【０３４５】
そして、複数のディスプレイモジュール６１０，６２０，６３０は透明ディスプレイパネルの駆動を制御するための駆動モジュールをそれぞれ備えているが、それらの駆動モジュールは各フレームに配置される。また、いずれか一つのフレームに一つの駆動モジュールが配置され、複数のディスプレイモジュールの駆動を制御してもよい。
【０３４６】
第１、２、３のフレーム６１２，６２２，６３２は、該当の透明ディスプレイパネル６１１，６２１，６３１を固定する。
【０３４７】
複数の透明ディスプレイモジュールの第１、２、３の透明ディスプレイパネル６１１，６２１，６３１は、一列横隊に配置されている。すなわち、横に互いに隣接して並んでいる。これにより、一つのフレームで第１、２、３の透明ディスプレイパネル６１１，６２１，６３１を共に固定し、第１、２、３の透明ディスプレイパネルの互いに接する面には遮断部材６１３，６２３，６２４，６３３が設けられている。ここで、遮断部材６１３，６２３，６２４，６３３は、透明ディスプレイパネルを構成する第１の偏光板、導光板、液晶パネル、第２の偏光板を一体に固定し、透明ディスプレイパネル内の光が外部に分散することを防止する。
【０３４８】
第１、２、３のディスプレイモジュール６１０，６２０，６３０は、該当の商店で販売する商品、人気商品、売り出し商品などを表示し、価格情報、サイズ情報も表示する。
【０３４９】
図３１に示すように、商店がファーストフード店である場合に、ファーストフード店で販売する新メニューであるハンバーガーの映像及び価格を第１の透明ディスプレイパネルに表示し、新メニューである飲料の映像及び価格を第３の透明ディスプレイパネルに表示し、お店のオープン時間を第２の透明ディスプレイパネルに表示する。
【０３５０】
第１、２、３の透明ディスプレイパネル６１１，６２１，６３１は、駆動モジュール６５０の命令に対応してマルチディスプレイを行う。なお、第１、２、３の透明ディスプレイパネル６１１，６２１，６３１は、シングルディスプレイを行ってもよく、第１、２、３の透明ディスプレイパネル６１１，６２１，６３１の一部は駆動し、残りの一部は非駆動してもよい。
【０３５１】
第１、２、３の透明ディスプレイパネル６１１，６２１，６３１は非駆動時に透明状態を維持することによって、非駆動の透明ディスプレイパネルを通して人々が内部を見るようにする。
【０３５２】
ショーウィンドウ６００の駆動モジュール６４０は端末機と有無線通信を行うことで、第１、２、３の透明ディスプレイパネルに表示される映像をアップデートする。
【０３５３】
このようにショーウィンドウを透明ディスプレイパネルにすることによって、広告効果を向上させ、企業のイメージを高め、随時変更すべき広告チラシ紙の印刷費用を節減し、広告チラシ紙を着脱する労力を軽減することができる。
【０３５４】
図３２は、さらに他の実施例に係る窓の例示図である。
【０３５５】
窓７００は、空気や陽光が入ると共に外を見るように壁に設けられた扉であり、透明ディスプレイパネルからなっている。窓７００に装着されたディスプレイモジュールは、フレーム７１０、透明ディスプレイパネル７２０を備える。フレーム７１０は、透明ディスプレイパネル７２０を固定する。このフレーム７１０内には、透明ディスプレイパネル７２０の駆動を制御するための駆動モジュール７３０が設けられている。フレーム７１０は、透明ディスプレイパネルを構成する第１の偏光板、導光板、液晶パネル、第２の偏光板を一体に固定し、透明ディスプレイパネル内の光が外部に分散することを防止する。
【０３５６】
透明ディスプレイパネル７２０は、駆動モジュール７３０の命令に対応してブラインド映像、名画映像、自然の映像のいずれかの映像を表示する。ここで、窓の透明ディスプレイパネル７２０に表示される映像は、端末機を用いて変更することができる。
【０３５７】
なお、窓のフレームはモード変更ボタンをさらに備えており、このモード変更ボタンを操作して透明ディスプレイパネル７２０に表示される映像を変更してもよい。透明ディスプレイパネル７２０は、非駆動時に透明状態を維持することによって、使用者か窓から外を見るようにする。
【０３５８】
窓７００の駆動モジュール７３０は端末機と有無線通信を行うことで、透明ディスプレイパネル７２０に表示される映像をアップデートする。このように窓を透明ディスプレイパネルとすることで、室内の装飾効果を極大化することができる。
【０３５９】
図３３は、さらに他の実施例に係るディスプレイモジュールのうち、床マットの例示図であり、図３４は、床マットの構造図である。
【０３６０】
床マット８００は、床の装飾効果のために公園、遊び公園などの公共場所、家庭などに装着されるもので、透明ディスプレイパネルで構成する。床に設置されるディスプレイモジュールである床マット８００は、フレーム８１０、透明ディスプレイパネル８２０を備えている。
【０３６１】
フレーム８１０は、透明ディスプレイパネル８２０を固定する。このフレーム８１０内には、透明ディスプレイパネル８２０の駆動を制御するための駆動モジュール８２０が設けられている。フレーム８１０は、透明ディスプレイパネル８２０を構成る第１の偏光板、導光板、液晶パネル、第２の偏光板を一体に固定し、透明ディスプレイパネル内の光が外部に分散することを防止する。
【０３６２】
透明ディスプレイパネル８２０は、駆動モジュール８２０の命令に対応してトリックアート映像、床材映像、自然映像のいずれかの映像を表示する。
【０３６３】
トリックアート映像は、様々なコンセプトの、事実に近い映像を複数個含み、床材映像は、床マットが装着される空間の床映像を含み、自然映像は、水族館、庭の映像などを含む。ここで、床材映像は、端末機に獲得されたのち伝送されたものである。
【０３６４】
床マット８００の透明ディスプレイパネル８２０に表示される映像は、端末機を用いて変更することができる。床マット８００の駆動モジュール８２０は、端末機と有無線通信を行うことで、透明ディスプレイパネル８２０に表示される映像をアップデートする。
【０３６５】
図３４に示すように、透明ディスプレイパネル８２０は人が歩く床に設置されるため、破損の危険性があり、図３４に示すように、強化ガラスのような強化部材８４０によりカバーされる。このように、床マットを透明ディスプレイパネルとすることで、装飾の効果を極大化し、観光効果も期待することができる。
【符号の説明】
【０３６６】
１００    ボディー
１１０    本体
１２０    貯蔵室
１３０    棚
１４０    機械室
１５０    冷気生成室
２００    ディスプレイモジュール
【図１】
2014503835.tif 000003
【図２】
2014503835.tif 000004
【図３】
2014503835.tif 000005
【図４Ａ】
2014503835.tif 000006
【図４Ｂ】
2014503835.tif 000007
【図４Ｃ】
2014503835.tif 000008
【図４Ｄ】
2014503835.tif 000009
【図５】
2014503835.tif 000010
【図６】
2014503835.tif 000011
【図７】
2014503835.tif 000012
【図８】
2014503835.tif 000013
【図９】
2014503835.tif 000014
【図１０】
2014503835.tif 000015
【図１１Ａ】
2014503835.tif 000016
【図１１Ｂ】
2014503835.tif 000017
【図１１Ｃ】
2014503835.tif 000018
【図１２】
2014503835.tif 000019
【図１３】
2014503835.tif 000020
【図１４】
2014503835.tif 000021
【図１５】
2014503835.tif 000022
【図１６】
2014503835.tif 000023
【図１７】
2014503835.tif 000024
【図１８】
2014503835.tif 000025
【図１９】
2014503835.tif 000026
【図２０】
2014503835.tif 000027
【図２１】
2014503835.tif 000028
【図２２】
2014503835.tif 000029
【図２３】
2014503835.tif 000030
【図２４】
2014503835.tif 000031
【図２５】
2014503835.tif 000032
【図２６】
2014503835.tif 000033
【図２７】
2014503835.tif 000034
【図２８Ａ】
2014503835.tif 000035
【図２８Ｂ】
2014503835.tif 000036
【図２９】
2014503835.tif 000037
【図３０】
2014503835.tif 000038
【図３１】
2014503835.tif 000039
【図３２】
2014503835.tif 000040
【図３３】
2014503835.tif 000041
【図３４】
2014503835.tif 000042
2014503835.tif 000043
2014503835.tif 000044
2014503835.tif 000045
2014503835.tif 000046
2014503835.tif 000047
2014503835.tif 000048
2014503835.tif 000049
2014503835.tif 000050
2014503835.tif 000051
2014503835.tif 000052
2014503835.tif 000053
2014503835.tif 000054
2014503835.tif 000055
2014503835.tif 000056
2014503835.tif 000057
2014503835.tif 000058
2014503835.tif 000059
2014503835.tif 000060
2014503835.tif 000061
2014503835.tif 000062
2014503835.tif 000063
2014503835.tif 000064
2014503835.tif 000065
2014503835.tif 000066
2014503835.tif 000067
2014503835.tif 000068
2014503835.tif 000069
2014503835.tif 000070
2014503835.tif 000071
2014503835.tif 000072
2014503835.tif 000073
2014503835.tif 000074
2014503835.tif 000075
2014503835.tif 000076
2014503835.tif 000077
2014503835.tif 000078
2014503835.tif 000079
2014503835.tif 000080
2014503835.tif 000081
2014503835.tif 000082
【国際調査報告】
2014503835.tif 000083
2014503835.tif 000084
2014503835.tif 000085